(57)【特許請求の範囲】
【請求項１】
端末がアップリンクサウンディング参照信号(uplink sounding reference signal;ＳＲＳ)を送信するための方法であって、
前記ＳＲＳの設定及びトリガーリング情報を取得するステップと、
前記設定及びトリガーリング情報に基づいて前記ＳＲＳを送信するためのキャリア及びサブフレームを決定するステップであって、前記キャリアは、アップリンク送信及びダウンリンク送信の少なくとも一つをサポートできるフレキシブルデュプレックス(flexible duplex)である周波数分割デュプレックス（frequency division duplex；ＦＤＤ）アップリンクキャリア又は、前記フレキシブルデュプレックスであるＦＤＤダウンリンクキャリアであるステップと、
電力制御情報を取得し、前記取得した電力制御情報に基づいて電力値を決定するステップと、
前記決定されたキャリア及びサブフレームを通じて前記決定された電力値で前記ＳＲＳを送信するステップと、を含み、
前記キャリアを決定するステップは、
前記設定及びトリガーリング情報に含まれたキャリア方向インジケータを取得するステップを含み、前記キャリア方向インジケータは、前記キャリアがアップリンクキャリア又はダウンリンクキャリアであることを示すステップ、又は、
前記ＦＤＤアップリンクキャリアが前記アップリンク送信をサポートする場合、前記設定及びトリガーリング情報を伝達するキャリアを前記ＳＲＳを送信するキャリアとして決定するステップを含むことを特徴とする方法。
【請求項２】
相異なるサービングセルが前記ＦＤＤアップリンクキャリア及び前記ＦＤＤダウンリンクキャリアに基づいて構成され、前記相異なるサービングセルの各々に対応するＳＲＳの設定及びトリガーリング情報が取得されることを特徴とする請求項１に記載の方法。
【請求項３】
前記ＳＲＳの送信が物理階層シグナリングを通してトリガーされる場合、前記キャリアを決定する動作は、
前記物理階層シグナリングによりスケジューリングされるデータを送信するキャリアを前記ＳＲＳを送信するキャリアとして位置されるものと決定するステップ、又は、
前記物理階層シグナリングを送信するキャリアを前記ＳＲＳを送信するキャリアとして決定するステップを含むことを特徴とする請求項１に記載の方法。
【請求項４】
サービングセル内の前記ＦＤＤアップリンクキャリア及び前記ＦＤＤダウンリンクキャリアが同一の設定及びトリガーリング情報を共有する場合、前記ＳＲＳを送信するキャリア及びサブフレームを決定する動作は、
前記ＦＤＤアップリンクキャリアがアップリンク送信だけをサポートする場合、ＦＤＤモードにより前記ＳＲＳを送信するキャリア及びサブフレームを決定し、
前記ＦＤＤアップリンクキャリアが前記アップリンク送信及び前記ダウンリンク送信の両方ともをサポートする場合、時間分割デュプレックス(Time Division Duplex;ＴＤＤ)モードにより前記ＳＲＳを送信するキャリア及びサブフレームを決定するステップ、又は
前記ＦＤＤモードにより前記ＳＲＳを送信するキャリア及びサブフレームを決定するステップ、又は
前記ＴＤＤモードにより前記ＳＲＳを送信するキャリア及びサブフレームを決定するステップを含むことを特徴とする請求項１に記載の方法。
【請求項５】
サービングセル内の前記ＦＤＤアップリンクキャリア及び前記ＦＤＤダウンリンクキャリアが同一の設定及びトリガーリング情報を共有する場合、前記ＦＤＤアップリンクキャリアが前記ダウンリンク送信をサポートするか否かを前記端末が決定できない場合、前記ＳＲＳの送信を実行することなく前記取得された設定及びトリガーリング情報を無視するステップをさらに含むことを特徴とする請求項１に記載の方法。
【請求項６】
サービングセル内の前記ＦＤＤアップリンクキャリア及び前記ＦＤＤダウンリンクキャリアが相異なる設定及びトリガーリング情報を使用する場合、前記ＳＲＳを送信するキャリア及びサブフレームを決定する動作は、
基地局から、前記ＦＤＤアップリンクキャリア又は前記ＦＤＤダウンリンクキャリアに対応し、また、設定及びトリガーリングモードを表示する上位階層シグナリングを受信するステップ、及び
前記設定及びトリガーリングモードにより前記ＳＲＳを送信するキャリア及びサブフレームを決定するステップを含み、
前記設定及びトリガーリングモードは、ＴＤＤモード又はＦＤＤモードであることを特徴とする請求項１に記載の方法。
【請求項７】
サービングセルの前記ＦＤＤアップリンクキャリアが前記ダウンリンク送信をサポートし、前記端末が前記ＦＤＤアップリンクキャリアのアップリンク/ダウンリンク分布のためのサブフレームを決定できない場合、前記ＳＲＳの送信を実行することなく、上位階層シグナリングを通してＳＲＳをトリガーする場合のＳＲＳ設定を無視するステップ、又は
ダウンリンク自動再送要求(Hybrid Automatic Retransmission Request；ＨＡＲＱ)参照構成により、アップリンクサブフレーム及びアップリンクパイロットタイムスロット（uplink pilot time slot；ＵｐＰＴＳ）として使用されないサブフレームに対する物理的アップリンク共有チャネル（physical uplink shared channel；ＰＵＳＣＨ）がスケジューリングされない場合は、前記ＳＲＳの送信を実行することなく前記上位階層シグナリングを通してＳＲＳをトリガーする場合の前記ＳＲＳ設定を無視するステップをさらに含むことを特徴とする請求項１に記載の方法。
【請求項８】
前記電力制御情報を取得するステップは、
ダウンリンク制御情報(Downlink Control Information;ＤＣＩ）フォーマットにおいて前記ダウンリンクキャリアに対応する送信器電力制御(Transmitter Power Control;ＴＰＣ）表示に基づいて、前記ＦＤＤダウンリンクキャリア上の前記ＳＲＳの電力制御調整値を決定するステップを含み、
前記ＴＰＣ表示を受信する動作は、
上位階層シグナリングにより前記アップリンクキャリア及び前記ダウンリンクキャリア各々のＴＰＣ一連番号を決定し、前記ＤＣＩフォーマットから前記ダウンリンクキャリアの決定されたＴＰＣ一連番号に対応するＴＰＣを判読するステップ、又は
前記ダウンリンクキャリアに対応するＤＣＩフォーマットを伝達するサブフレーム及び前記アップリンクキャリアに対応する前記ＤＣＩフォーマットを伝達するサブフレームを予め指定し、前記ＤＣＩフォーマットを伝送するサブフレームによって、前記ＤＣＩフォーマットにおけるＴＰＣ表示が前記アップリンクキャリア又は前記ダウンリンクキャリアに対応するか否かを決定するステップを含むことを特徴とする請求項１に記載の方法。
【請求項９】
前記決定された前記ＦＤＤダウンリンクキャリアがより低いバージョン端末をサポートする場合、前記設定及びトリガーリング情報を取得した前記端末がシステム情報ブロック（system information block；ＳＩＢ）１、ページング(paging)信号、又はマルチメディアブロードキャスト信号周波数ネットワーク（multimedia broadcast single frequency network；ＭＢＳＦＮ）を送信するサブフレームで及び/又は前記より低いバージョン端末のＳＰＳを送信するサブフレームで前記ＳＲＳの送信を実行しないステップをさらに含み、前記より低いバージョン端末は、前記ＦＤＤダウンリンクキャリアにおいて前記ＳＲＳの送信をサポートしない端末であることを特徴とする請求項１に記載の方法。
【請求項１０】
基地局から設定された周期内で前記ＳＲＳの送信が許可されることを示すサブフレーム表示を含む上位シグナリングを受信するステップをさらに含むことを特徴とする請求項９に記載の方法。
【請求項１１】
基地局がアップリンクサウンディング参照信号（sounding reference signal；ＳＲＳ）を受信して、チャネルを推定するための方法であって、
端末から、アップリンク送信及びダウンリンク送信の少なくとも一つをサポートできるフレキシブルデュプレックス（flexible duplex）である周波数分割デュプレックス（frequency division duplex；ＦＤＤ）アップリンクキャリア又は、前記フレキシブルデュプレックスであるＦＤＤダウンリンクキャリアを通じて送信されるＳＲＳを受信するステップ、及び
前記ＳＲＳに基づいてチャネル情報を推定し、前記チャネル情報を、前記ＳＲＳを伝送するキャリア上の第１のダウンリンクチャネル情報として設定するステップを含み、
ダウンリンク参照シンボルに基づいて前記端末により測定された前記端末のアンテナの部分と前記基地局の送信アンテナとの間の第２のダウンリンクチャネル情報を受信するステップ、及び
前記第２のダウンリンクチャネル情報を、前記ＳＲＳに基づいて推定される前記チャネル情報と組み合わせて、前記第１のダウンリンクチャネル情報として設定するステップをさらに含み、
前記端末のアンテナの部分は、送信アンテナとして使用されない前記端末の受信アンテナであることを特徴とする方法。
【請求項１２】
ダウンリンク参照シンボルに基づいて前記端末により測定されたチャネル品質インジケータ(Channel Quality Indicator；ＣＱＩ)を受信するステップ、及び
前記ＣＱＩを、前記ＳＲＳに基づいて推定される前記チャネル情報と共に組み合わせて、前記第１のダウンリンクチャネル情報として設定するステップをさらに含むことを特徴とする請求項１１に記載の方法。
【請求項１３】
アップリンクサウンディング参照信号（ＳＲＳ）を送信する端末であって、
ＳＲＳの設定及びトリガーリング情報を取得し、前記設定及びトリガーリング情報により前記ＳＲＳを送信するキャリア及びサブフレームを決定し、電力制御情報を取得し、前記取得した電力制御情報に基づいて電力値を決定するように構成される制御部であって、前記ＳＲＳを送信するキャリアは、アップリンク送信及びダウンリンク送信の少なくとも一つをサポートできるフレキシブルデュプレックス(flexible duplex)である周波数分割デュプレックス（frequency division duplex；ＦＤＤ）キャリア又は、前記フレキシブルデュプレックスであるＦＤＤダウンリンクキャリアである制御部、及び
前記決定されたキャリア及びサブフレームで前記決定されたＳＲＳ電力値で前記ＳＲＳを送信する送信モジュールを含み、
前記送信モジュールは、前記設定及びトリガーリング情報に含まれたキャリア方向インジケータを取得し、前記キャリア方向インジケータは、前記キャリアがアップリンクキャリア又はダウンリンクキャリアであることを示し、又は、
前記ＦＤＤアップリンクキャリアが前記アップリンク送信をサポートする場合、前記制御部は、前記設定及びトリガーリング情報を伝達するキャリアを前記ＳＲＳを送信するキャリアとして決定することを特徴とする端末。
【請求項１４】
相異なるサービングセルが前記ＦＤＤアップリンクキャリア及び前記ＦＤＤダウンリンクキャリアに基づいて構成され、前記相異なるサービングセルの各々に対応するＳＲＳの設定及びトリガーリング情報が取得されることを特徴とする請求項１３に記載の端末。
【請求項１５】
前記ＳＲＳの送信が物理階層シグナリングを通してトリガーされる場合、前記制御部は、前記物理階層シグナリングによりスケジューリングされるデータを送信するキャリアを前記ＳＲＳを送信するキャリアとして位置されるものと決定し、又は、
前記制御部は、前記物理階層シグナリングを送信するキャリアを前記ＳＲＳを送信するキャリアとして決定することを特徴とする請求項１３に記載の端末。
【請求項１６】
サービングセル内の前記ＦＤＤアップリンクキャリア及び前記ＦＤＤダウンリンクキャリアが同一の設定及びトリガーリング情報を共有する場合、前記制御部は、前記ＦＤＤアップリンクキャリアがアップリンク送信だけをサポートする場合、ＦＤＤモードにより前記ＳＲＳを送信するキャリア及びサブフレームを決定し、
前記ＦＤＤアップリンクキャリアが前記アップリンク送信及び前記ダウンリンク送信の両方ともをサポートする場合、前記制御部は、時間分割デュプレックス（Time Division Duplex；ＴＤＤ）モードにより前記ＳＲＳを送信するキャリア及びサブフレームを決定し、又は、
前記制御部は、前記ＦＤＤモードにより前記ＳＲＳを送信するキャリア及びサブフレームを決定し、又は、
前記制御部は、前記ＴＤＤモードにより前記ＳＲＳを送信するキャリア及びサブフレームを決定することを特徴とする請求項１３に記載の端末。
【請求項１７】
サービングセル内の前記ＦＤＤアップリンクキャリア及び前記ＦＤＤダウンリンクキャリアが同一の設定及びトリガーリング情報を共有する場合、前記ＦＤＤアップリンクキャリアが前記ダウンリンク送信をサポートするか否かを前記端末が決定できない場合、前記制御部は、前記ＳＲＳの送信を実行することなく、前記取得された設定及びトリガーリング情報を無視することを特徴とする請求項１３に記載の端末。
【請求項１８】
サービングセル内の前記ＦＤＤアップリンクキャリア及び前記ＦＤＤダウンリンクキャリアが相異なる設定及びトリガーリング情報を使用する場合、前記送信モジュールは、基地局から、前記ＦＤＤアップリンクキャリア又は前記ＦＤＤダウンリンクキャリアに対応し、また、設定及びトリガーリングモードを表示する上位階層シグナリングを受信し、
前記制御部は、前記設定及びトリガーリングモードにより前記ＳＲＳを送信するキャリア及びサブフレームを決定し、
前記設定及びトリガーリングモードは、ＴＤＤモード又はＦＤＤモードであることを特徴とする請求項１３に記載の端末。
【請求項１９】
サービングセルの前記ＦＤＤアップリンクキャリアが前記ダウンリンク送信をサポートし、前記端末が前記ＦＤＤアップリンクキャリアのアップリンク／ダウンリンク分布のためのサブフレームを決定できない場合、前記制御部は、前記ＳＲＳの送信を実行することなく、上位階層シグナリングを通してＳＲＳをトリガーする場合のＳＲＳ設定を無視するか、又は、
ダウンリンク自動再送要求(Hybrid Automatic Retransmission Request；ＨＡＲＱ)参照構成により、アップリンクサブフレーム及びアップリンクパイロットタイムスロット（uplink pilot time slot；ＵｐＰＴＳ）として使用されないサブフレームに対する物理的アップリンク共有チャネル（physical uplink shared channel；ＰＵＳＣＨ）がスケジューリングされない場合は、前記制御部は、前記ＳＲＳの送信を実行することなく、前記上位階層シグナリングを通してＳＲＳをトリガーする場合の前記ＳＲＳ設定を無視することを特徴とする請求項１３に記載の端末。
【請求項２０】
前記制御部は、ダウンリンク制御情報(Downlink Control Information;ＤＣＩ）フォーマットにおいて、前記ダウンリンクキャリアに対応する送信器電力制御(Transmitter Power Control;ＴＰＣ）表示に基づいて、前記ＦＤＤダウンリンクキャリア上の前記ＳＲＳの電力制御調整値を決定し、
前記送信モジュールは、上位階層シグナリングにより前記アップリンクキャリア及び前記ダウンリンクキャリア各々のＴＰＣ一連番号を決定し、前記ＤＣＩフォーマットから前記ダウンリンクキャリアの決定されたＴＰＣ一連番号に対応するＴＰＣを判読し、前記ダウンリンクキャリアに対応するＤＣＩフォーマットを伝達するサブフレーム及び前記アップリンクキャリアに対応する前記ＤＣＩフォーマットを伝達するサブフレームを予め指定し、前記ＤＣＩフォーマットを伝送するサブフレームによって、前記ＤＣＩフォーマットにおけるＴＰＣ表示が前記アップリンクキャリア又は前記ダウンリンクキャリアに対応するか否かを決定することを特徴とする請求項１３に記載の端末。
【請求項２１】
前記送信モジュールは、基地局から設定された周期内で前記ＳＲＳの送信が許可されることを示すサブフレーム表示を含む上位シグナリングを受信することを特徴とする請求項１３に記載の端末。
【請求項２２】
アップリンクサウンディング参照信号（sounding reference signal；ＳＲＳ）を受信する基地局であって、
端末から、アップリンク送信及びダウンリンク送信の少なくとも一つをサポートできるフレキシブルデュプレックス（flexible duplex)である周波数分割デュプレックス（frequency division duplex；ＦＤＤ）アップリンクキャリア又は、前記フレキシブルデュプレックスであるＦＤＤダウンリンクキャリアを通じて送信されるＳＲＳを受信する送受信部と、
前記ＳＲＳに基づいてチャネル情報を推定し、前記チャネル情報を前記ＳＲＳを伝送するキャリア上の第１のダウンリンクチャネル情報として設定するように構成する制御部と、を含み、
前記送受信部は、ダウンリンク参照シンボルに基づいて前記端末により測定された前記端末のアンテナの部分と前記基地局の送信アンテナとの間の第２のダウンリンクチャネル情報を受信し、
前記制御部は、前記第２のダウンリンクチャネル情報を前記ＳＲＳに基づいて推定される前記チャネル情報と組み合わせて前記第１のダウンリンクチャネル情報として設定し、
前記端末のアンテナの部分は、送信アンテナとして使用されない前記端末の受信アンテナであることを特徴とする基地局。
【請求項２３】
前記送受信部がダウンリンク参照シンボルに基づいて前記端末により測定されたチャネル品質インジケータ(Channel Quality Indicator；ＣＱＩ)を受信し、
前記制御部が前記ＣＱＩを前記ＳＲＳに基づいて推定される前記チャネル情報と共に組み合わせて、前記第１のダウンリンクチャネル情報として設定することを特徴とする請求項２２に記載の基地局。
【発明の詳細な説明】
【技術分野】
【０００１】
本発明は、無線通信技術に関し、特に、アップリンクサウンディング参照信号(sounding reference signal;ＳＲＳ）を送信するための方法及びデバイスに関する。
【背景技術】
【０００２】
周波数分割デュプレックス(Frequency Division Duplex;ＦＤＤ)モード及び時間分割デュプレックス(Time Division Duplex;ＴＤＤ)モードが無線通信システムで広く使用されている。ＦＤＤモードは、アップリンク及びダウンリンクが通信のために相異なる周波数リソースを使用するモードを指す。ＴＤＤモードは、アップリンク及びダウンリンクが同一周波数リソースを共有し、また、アップリンク通信及びダウンリンク通信が時間ドメイン(domain)分割を通してそれぞれ実行されるモードを指す。
【０００３】
例えば、３GPP(３rd Generation Partnership Project)により開発されたＥ−ＵＴＲＡ(Evolved Universal Terrestrial Radio Access)プロトコルに対応するＬＴＥ(Long Term Evolution)システムは、ＦＤＤモード及びＴＤＤモードをサポートし、また無線フレーム構造はＦＤＤフレーム構造及びＴＤＤフレーム構造を含む。
【０００４】
図１は、ＦＤＤモードにおけるフレーム構造を示す図である。１０ｍｓアップリンク無線フレーム及び１０ｍｓダウンリンク無線フレームは、０から１９まで番号が付与される２０個の０．５ｍｓ時間スロットでそれぞれ構成される。時間スロット(２ｉ及び２ｉ＋１）は、長さが１ｍｓであるサブフレーム（ｉ）を構成する。アップリンク及びダウンリンクは、相異なる周波数リソースで転送される。図２は、ＴＤＤモードにおけるフレーム構造を示す図である。１０ｍｓ無線フレームは、２個のハーフフレームで構成され、各ハーフフレームの長さは５ｍｓである。一つのハーフフレームは、５個の１ｍｓサブフレームを含む。サブフレーム（ｉ）は、２個の時間スロット（２ｉ及び２ｉ＋１）を含み、各時間スロットの長さは０．５ｍｓである。アップリンク及びダウンリンクは、同一周波数リソースを共有し、アップリンク通信又はダウンリンク通信が無線フレームの相異なるサブフレームで行われる。
【０００５】
上記２個のフレーム構造で、一般サイクリックプリフィクス(Normal Cyclic Prefix;Normal ＣＰ）の場合、時間スロットは７個のシンボルを含み、７個のシンボルのそれぞれの長さは６６.７ｕｓである。この場合、第１のシンボルのＣＰの長さは５．２１ｕｓである。残りの６個のシンボルのそれぞれのＣＰ長さは４．６９ｕｓである。拡張サイクリックプリフィクス(Extended Cyclic Prefix;Extended ＣＰ）の場合、時間スロットは、６個のシンボルを含み、６個のシンボルのそれぞれの長さは１６．６７ｕｓである。
【０００６】
ＴＤＤモードによりサポートされるアップリンク/ダウンリンク設定が＜表１＞に示される。無線フレームにおける各サブフレームの場合、“Ｄ”はダウンリンク送信専用サブフレームを表し、“Ｕ”はアップリンク送信専用フレームを表し、また“Ｓ”は、ダウンリンクパイロット時間スロット(Downlink Pilot Time Slot;ＤｗＰＴＳ）、ガード期間(Guard Period;ＧＰ)、及びアップリンクパイロット時間スロット(Uplink Pilot Time Slot;ＵｐＰＴＳ）を含む３個のフィールドからなる特殊サブフレームを示す。ＤｗＰＴＳ及びＵｐＰＴＳそれぞれの長さが＜表２＞に示される。この場合、ＤｗＰＴＳ、ＧＰ、及びＵｐＰＴＳの全体長さは３０７２０・Ｔｓ=１ｍｓであり、ここで、Ｔｓは、時間単位であり、１／（１５０００＊２０４８）秒で定義される。各サブフレーム（ｉ）は２個の時間スロット(２i及び２i+１)で表し、各時間スロットの長さはＴslot =１５３６０・Ｔs ０.５ｍｓである。
【０００７】
ＬＴＥ ＴＤＤは、５ｍｓダウンリンクアップリンクスイッチポイント周期及び１０ｍｓダウンリンク-アップリンクスイッチポイント周期をサポートする。ダウンリンクからアップリンクへのスイッチポイント周期が５ｍｓである場合、特殊サブフレームは２個のハーフフレームに存在できる。ダウンリンクからアップリンクへのスイッチポイント周期が１０ｍｓである場合、特殊サブフレームは第１のハーフフレームのみに存在する。サブフレーム０、サブフレーム５、及びＤｗＰＴＳは、常にダウンリンク送信のために使用される。ＵｐＰＴＳ及び特殊サブフレームの次のサブフレームは、アップリンク送信専用である。＜表１＞に示すような設定は、相異なる非対称サービスを柔軟にサポートできる。＜表２＞に示すような特殊サブフレーム設定は、相異なる長さ及び相異なるセル半径を有するＧＰをサポートし、ＴＤＤシステムで基地局間の強い干渉を防止する。
【０００８】
【表１】
0006599357.tif 000002
【０００９】
【表２】
0006599357.tif 000003
【００１０】
ＴＤＤモード及びＦＤＤモードの両方は、固有の長所及び短所を有する。例えば、＜表１＞に示すようなＴＤＤシステムのアップリンク/ダウンリンク設定が設定され、非対称サービスをより良好にサポートしながら周波数スペクトラムの使用効率を改善できる一方、一対のＦＤＤ周波数スペクトラムでは、複数のアップリンクサービスが存在する場合にアップリンク周波数スペクトラムリソースが消耗される。しかし、ＦＤＤアップリンク及びダウンリンクリソースは、一対のＦＤＤ周波数スペクトラムによって常時使用可能であり、従って、端末がＨＡＲＱ(Hybrid Automatic Retransmissio nRequest)及びＣＳＩ(Channel state information）のＡＣＫ／ＮＡＣＫ(Acknowledge/Non-Acknowledge)メッセージのようなアップリンク制御シグナリングを適場合にリターンすることができ、従って無線インターフェースのフィードバック遅延が減少できると同時に、スケジューリング効率が改善されることができる。
【００１１】
また、ＴＤＤシステムのアップリンクチャネル及びダウンリンクチャネルは、同一のキャリアを使用し、アップリンク及びダウンリンク無線チャネルは、ほぼ同一である。従って、基地局がアップリンク信号を受信してアップリンクチャネル品質測定又は推定を取得した以後に、フェーディング速度、隣接領域干渉といった、ダウンリンクチャネル状態が取得される。このような特徴は、チャネル相互性(channel reciprocity)と呼ばれる。ＦＤＤでは、アップリンク及びダウンリンクが相異なる周波数帯域を使用するために、アップリンク無線チャネル及びダウンリンク無線チャネルは相異なる。ダウンリンクチャネル情報を取得するために、基地局は、ダウンリンク参照信号(reference signal;ＲＳ）を伝送できる。端末は、この参照信号によってダウンリンクチャネル品質又はチャネルフェーディングを推定し、推定された情報をリターンする。基地局は、リターンされたダウンリンクチャネル情報に基づいてダウンリンクスケジューリング、リソース割当、プリコーディング(pre-coding）のような動作を実行する。ＴＤＤシステムがチャネル相互性を達成できるため、多重アンテナシステムがより良好に使用されることができる。
【００１２】
今後の無線通信システムでは、ＴＤＤシステムの長所がＦＤＤシステムに統合され、これによってチャネル相互性及び非対称サービスのサポートをはじめとするＴＤＤの特徴がＦＤＤシステムにより使用されると思われる。このような方式で、周波数スペクトラム及びネットワーク性能の効率的な使用が大きく向上することができる。ＴＤＤの長所を統合するＦＤＤシステムで、ＦＤＤシステムのアップリンク(又は、ダウンリンク)ワークキャリア(workcarrier）は、時分割多重化(Time Division Multiplexing;ＴＤＭ)方式でアップリンクデータ及びダウンリンクデータを送信する。本発明の多様な実施形態は、このようなシステムにおけるサウンディング参照信号の送信に対して説明する。
【発明の概要】
【発明が解決しようとする課題】
【００１３】
本発明の多様な実施形態により解決される技術的問題点は、従来の無線通信システムにおけるＦＤＤモードによるＳＲＳの送受信である。
【課題を解決するための手段】
【００１４】
本発明の多様な実施形態は、アップリンクサウンディング参照信号(uplink sounding reference signal;ＳＲＳ)を送信するための方法であって、
端末により、ＳＲＳの設定及びトリガーリング情報を取得するステップと、
上記ＳＲＳ設定及びトリガーリング情報に基づいて上記ＳＲＳの送信が位置されるキャリア及びサブフレームを決定するステップであって、上記ＳＲＳの送信が位置されるキャリアは、フレキシブルデュプレックス(flexible duplex)のアップリンクキャリア又はＦＤＤシステムにおけるダウンリンクキャリアであるステップと、
上記端末により、ＳＲＳ電力制御情報を取得してＳＲＳ電力値を決定するステップと、
上記端末により、上記決定されたキャリア及びサブフレームで上記決定されたＳＲＳ電力値で上記ＳＲＳを送信して、基地局がチャネル情報を推定するようにするステップと、を含むことを特徴とする方法に対して説明する。
【００１５】
本発明の多様な実施形態によれば、ＦＤＤアップリンクキャリア及びＦＤＤダウンリンクキャリアが相異なるサービングセルを構成する場合、上記端末は、各サービングセルに対応するＳＲＳ設定及びトリガーリング情報を取得する。
【００１６】
本発明の多様な実施形態によれば、上記ＳＲＳの送信が位置されるキャリアを決定する動作は、
上記ＳＲＳ設定及びトリガーリング情報でキャリア方向インジケータを搬送するステップであって、
上記キャリア方向インジケータは上記ＳＲＳの送信が位置されるキャリアがアップリンクキャリア又はダウンリンクキャリアであることを示すステップ、又は、
ＦＤＤアップリンクキャリアが上記フレキシブルデュプレックスのアップリンクキャリアである場合には、上記設定及びトリガーリング情報を搬送する上位階層シグナリングが位置されるキャリアを、上記ＳＲＳの送信が位置されるキャリアとして決定するステップ、
又は、
ダウンリンクキャリアに対応するサブフレーム及びアップリンクキャリアに対応するサブフレームを予め設定し、上記設定及びトリガーリング情報を搬送する上位階層シグナリングが位置されるサブフレームを決定し、また、上記サブフレームに対応するキャリアを、上記ＳＲＳの送信が位置されるキャリアとして決定するステップを含む。
【００１７】
本発明の多様な実施形態によれば、上記ＳＲＳの送信がトリガーリングタイプ１を通してトリガーされる場合、上記ＳＲＳの送信が位置されるキャリアを決定する動作は、
上記ＳＲＳ送信をトリガーする物理階層シグナリングによりスケジューリングされるデータが位置されるキャリアが、上記ＳＲＳ送信が位置されるキャリアとして位置されるものと決定するステップ、
又は、
上記ＳＲＳ送信をトリガーする物理階層シグナリングが位置されるキャリアが、上記ＳＲＳ送信が位置されるキャリアとして位置されるものと決定するステップを含む。
【００１８】
本発明の多様な実施形態によれば、同一のサービングセル内のＦＤＤアップリンクキャリア及びＦＤＤダウンリンクキャリアが同一の設定及びトリガーリング情報を共有する場合、上記ＳＲＳの送信が位置されるキャリア及びサブフレームを決定する動作は、
上記サービングセルのアップリンクキャリアがアップリンク送信だけをサポートする場合には、ＦＤＤモードにより上記ＳＲＳ送信が位置されるキャリア及びサブフレームを決定し、上記サービングセルのアップリンクキャリアがアップリンク送信及びダウンリンク送信をサポートする場合には、ＴＤＤモードにより上記ＳＲＳ送信が位置されるキャリア及びサブフレームを決定するステップ、
又は、
上記ＦＤＤモードにより上記ＳＲＳ送信が位置されるキャリア及びサブフレームを決定するステップ、又は上記ＴＤＤモードにより上記ＳＲＳ送信が位置されるキャリア及びサブフレームを決定するステップを含む。
【００１９】
本発明の多様な実施形態によれば、同一のサービングセル内のＦＤＤアップリンクキャリア及びＦＤＤダウンリンクキャリアが相異なる設定及びトリガーリング情報を使用する場合、上記ＳＲＳの送信が位置されるキャリア及びサブフレームを決定する動作は、
上記基地局から、上記アップリンクキャリア又は上記ダウンリンクキャリアに対応し、また、設定及びトリガーリングモードを表示する上位階層シグナリングを受信するステップ、
及び
上記設定及びトリガーリングモードにより上記ＳＲＳ送信が位置されるキャリア及びサブフレームを決定するステップを含み、上記設定及びトリガーリングモードは、ＴＤＤモード又はＦＤＤモードである。
【００２０】
本発明の多様な実施形態によれば、ＵＥが位置されるサービングセルのＦＤＤアップリンクキャリアがダウンリンク送信をサポートし、また、上記端末が上記ＦＤＤアップリンクキャリアの実際のサブフレームアップリンク/ダウンリンク分布を決定できない場合、上記方法は、
上記端末により、上記ＳＲＳ送信を実行することなく、トリガーリングタイプが０であるＳＲＳ設定を無視するステップ、
又は、
ダウンリンクＨＡＲＱ(Hybrid Automatic Retransmission Request)参照構成により、アップリンクサブフレーム及びＵｐＰＴＳとして使用されないサブフレームに対するＰＵＳＣＨがスケジューリングされない場合は、上記端末により、上記ＳＲＳ送信を実行することなく、上記トリガーリングタイプが０である上記ＳＲＳ設定を無視するステップをさらに含む。
【００２１】
本発明の多様な実施形態によれば、上記フレキシブルデュプレックスのアップリンクキャリアが８ｍｓ周期によってサブフレーム送信方向を設定する場合、セル固有のＳＲＳでおいて、上記ＳＲＳの送信が位置されるサブフレームを決定する動作は、
【００２２】
【数１】
0006599357.tif 000004
【００２３】
を満足するサブフレームを、上記ＳＲＳ送信が位置されるサブフレームとして決定するステップを含み、
ここでｎｆは、無線フレームの一連番号であり、ｎｓは時間スロットの一連番号であり、またＴＳＦＣ及び△ＳＦＣは、各々上記設定及びトリガーリング情報におけるセル固有のＳＲＳサブフレーム周期及びセル固有のＳＲＳサブフレーム絶対値である。
【００２４】
本発明の多様な実施形態によれば、上記フレキシブルデュプレックスのアップリンクキャリアが８ｍｓ周期によってサブフレーム送信方向を設定する場合、トリガーリングタイプ０によりトリガーなるＳＲＳにおいて、上記ＳＲＳの送信が位置されるサブフレームを決定する動作は、
【００２５】
【数２】
0006599357.tif 000005
【００２６】
を満足するサブフレームを、上記ＳＲＳ送信が位置されるサブフレームとして決定するステップを含み、
ここでｎｆは無線フレームの一連番号であり、ksrsはスーパーフレームで上記ＳＲＳを送信するシンボルの一連番号であり、ＴＳＲＳ及びＴ０ｆｆｓｅｔは各々トリガーリングタイプが０であるＵＥ固有のＳＲＳのサブフレーム周期及びサブフレームオフセットである。
【００２７】
本発明の多様な実施形態によれば、上記フレキシブルデュプレックスのアップリンクキャリアが８ｍｓ周期によってサブフレーム送信方向を設定する場合、トリガーリングタイプ１によりトリガーされるＳＲＳにおいて、上記ＳＲＳの送信が位置されるサブフレームを決定する動作は、
【００２８】
【数３】
0006599357.tif 000006
【００２９】
を満足するサブフレームを、上記ＳＲＳ送信が位置されるサブフレームとして決定するステップを含み、
ここでｎｆは無線フレームの一連番号で、ksrsはスーパーフレームで上記ＳＲＳを送信するシンボルの一連番号で、ＴＳＲＳ，１及びＴ０ｆｆｓｅｔ，１は各々トリガーリングタイプが１であるＵＥ固有のＳＲＳのサブフレーム周期及びサブフレームオフセットである。
【００３０】
本発明の多様な実施形態によれば、ksrsは上記フレキシブルデュプレックスのアップリンクキャリアのアップリンク/ダウンリンク設定の両方においてアップリンクサブフレーム及び特殊サブフレームの両方におけるＳＲＳシンボルインデックスであり、又は、
ksrsは、上記無線スーパーフレームにおけるサブフレームインデックスであり、
又は、
ksrsは、上記無線スーパーフレームにおけるサブフレームインデックスであり、全てのＵｐＰＴＳ以前のサブフレームはＳＲＳシンボルを含むことなく、
上記無線スーパーフレームは４個の無線フレームからなるフレーム構造である。
【００３１】
本発明の多様な実施形態によれば、上記ＳＲＳ電力制御情報を取得する上記端末の動作は、
受信されているＤＣＩフォーマット３／３Ａにおける上記ダウンリンクキャリアに対応するＴＰＣ表示に基づいて、上記ダウンリンクキャリア上の上記ＳＲＳの電力制御調整値を決定するステップを含み、
上記ＤＣＩフォーマット３／３Ａにおける上記ダウンリンクキャリアに対応するＴＰＣ表示を受信する動作は、
上記ＵＥにより、上位階層シグナリングにより各アップリンクキャリア及びダウンリンクキャリアのＴＰＣ一連番号を決定し、また、上記ＤＣＩフォーマット３／３ＡからダウンリンクキャリアのＴＰＣ一連番号に対応するＴＰＣを判読するステップ、又は
上記ダウンリンクキャリアに対応するＤＣＩフォーマット３／３Ａを搬送するサブフレーム及び上記アップリンクキャリアに対応するＤＣＩフォーマット３／３Ａを搬送するサブフレームを予め指定し、また、上記受信されたＤＣＩフォーマット３／３Ａが位置されるサブフレームによって上記ＤＣＩフォーマット３／３ＡにおけるＴＰＣ表示が上記アップリンクキャリア又は上記ダウンリンクキャリアに対応するか否かを決定するステップを含む。
【００３２】
本発明の多様な実施形態によれば、上記ＳＲＳ電力値を決定した以後及び上記ＳＲＳ送信を実行する以前に、上記方法は、
サブフレームｉ上のシンボル内の上記端末の全体ＳＲＳ送信電力が
【００３３】
【数４】
0006599357.tif 000007
【００３４】
より大きい場合、上記全体ＳＲＳ送信電力が
【００３５】
【数５】
0006599357.tif 000008
【００３６】
以下になるまで上記ダウンリンクキャリア又は上記アップリンクキャリアにおけるＳＲＳ送信を取り消すステップをさらに含み、
ここで
【００３７】
【数６】
0006599357.tif 000009
【００３８】
は、サブフレームにおけるPCMAXの線形値であり、PCMAXは３ＧＰＰＴＳ３６．１０１で定義される。
【００３９】
本発明の多様な実施形態によれば、上記決定された上記ＳＲＳ送信が位置されるダウンリンクキャリアがより低いバージョン端末をサポートする場合、上記方法は、
上記設定及びトリガーリング情報を取得する上記端末がＳＩＢ１、ページング(paging)信号、又はＭＢＳＦＮを送信するサブフレームで及び/又は上記より低いバージョン端末のＳＰＳ信号を送信するサブフレームで上記ＳＲＳ送信を実行しないステップをさらに含み、上記より低いバージョン端末は、ＦＤＤダウンリンクキャリアにおける上記ＳＲＳ送信をサポートしない端末である。
【００４０】
本発明の多様な実施形態によれば、上記端末は、上記基地局により送信される上位階層シグナリングを受信し、上記上位階層シグナリングは、設定された周期内で上記ＳＲＳ送信が許可されることを示すサブフレーム表示を含む。
【００４１】
本発明の多様な実施形態はアップリンクサウンディング参照信号（ＳＲＳ）を受信して、チャネルを推定するための方法であって、
基地局により、フレキシブルデュプレックスのダウンリンクキャリア又はアップリンクキャリアで端末により送信されるＳＲＳを受信するステップ、及び
上記ＳＲＳに基づいてチャネル情報を推定し、上記チャネル情報を、上記ＳＲＳを搬送するキャリア上のダウンリンクチャネルのチャネル情報として設定するステップを含む方法に対して説明する。
【００４２】
本発明の多様な実施形態によれば、上記方法は、
上記基地局により、ダウンリンク参照シンボルに基づいて上記端末により測定されて上記端末により報告されるＣＱＩ(Channel Quality Indicator)を受信するステップ、及び
上記ＣＱＩを、上記ＳＲＳに基づいて推定されるチャネル情報と共に組み合わせて、完全なダウンリンクチャネル情報を設定するステップをさらに含む。
【００４３】
本発明の多様な実施形態によれば、上記方法は、
上記基地局により、ダウンリンク参照シンボルに基づいて上記端末により測定されて上記端末により報告される、上記端末のアンテナの部分と上記基地局の送信アンテナとの間の第２のダウンリンクチャネル情報を受信するステップ、及び
上記第２のウンリンクチャネル情報を、上記ＳＲＳに基づいて推定されるチャネル情報と組み合わせて、完全なダウンリンクチャネル情報を設定するステップをさらに含み、
上記端末のアンテナの部分は、送信アンテナとして使用されない上記端末における受信アンテナである。
【００４４】
サウンディング参照信号（ＳＲＳ）の設定及びトリガーリング情報を取得し、上記ＳＲＳ設定及びトリガーリング情報により上記ＳＲＳの送信が位置されるキャリア及びサブフレームを決定し、ＳＲＳ電力制御情報を取得してＳＲＳ電力値を決定するように構成される構成モジュールであって、上記ＳＲＳの送信が位置されるキャリアはフレキシブルデュプレックスのアップリンクキャリア又はＦＤＤシステムにおけるダウンリンクキャリアである構成モジュール、及び
上記決定されたキャリア及びサブフレームで上記決定されたＳＲＳ電力値で上記ＳＲＳを送信して基地局がチャネル情報を推定するように構成されるＳＲＳ送信モジュールを含むことを特徴とする端末デバイスに対して説明する。
【００４５】
本発明の多様な実施形態によれば、フレキシブルデュプレックスをサポートするダウンリンクキャリア又はアップリンクキャリアで端末により送信されるＳＲＳを検出するように構成されるサウンディング参照信号（ＳＲＳ）検出モジュール、及び
上記ＳＲＳ検出モジュールにより検出されるＳＲＳによってチャネル情報を推定し、また、推定結果を、上記ＳＲＳを搬送するアップリンクチャネルに対応するダウンリンクチャネルのチャネル情報として設定するように構成されることを特徴とするチャネル推定モジュールを含むことを特徴とする、基地局デバイスに対して説明する。
【００４６】
上述した技術方式から分かるように、本発明の多様な実施形態は、フレキシブルデュプレックスのアップリンクキャリア及びＦＤＤダウンリンクキャリアでＳＲＳを送信する方法に対して説明する。本発明の実施形態によれば、該当キャリアにおけるＳＲＳ送信が効率的に設定及び送信され、したがって、ＦＤＤシステムがチャネル相互性を有すると共に同時に大規模多重アンテナシステムにさらに適合となる。本発明の多様な実施形態は、ＦＤＤシステムのアップリンクキャリアがアップリンク信号及びダウンリンク信号を送信可能な場合のＳＲＳ送信方法及びデバイスに対して説明する。
【図面の簡単な説明】
【００４７】
【図１】ＦＤＤモードにおけるフレーム構造を示す図である。
【図２】ＴＤＤモードにおけるフレーム構造を示す図である。
【図３Ａ】本発明の多様な実施形態による、アップリンクサウンディング参照信号を送信する端末の動作フローチャートの一例である。
【図３Ｂ】本発明の実施形態によって、アップリンクサウンディング参照信号を受信した基地局のチャネル推定動作のフローチャートの一例である。
【図４】本発明の多様な実施形態による、ハイブリッドデュプレックス通信システムにおけるフレーム構造を示す図である。
【図５】本発明の多様な実施形態による、端末の構造を示す図である。
【図６】本発明の多様な実施形態による、基地局の構造を示す図である。
【発明を実施するための形態】
【００４８】
以下、発明の目的、技術的方式及び長所をより明確にする例示及び添付図面を参照して、本発明に対してより詳細に説明する。
【００４９】
以下、現在の一対のＦＤＤ周波数帯域におけるダウンリンクデータを送信するのに使用されるキャリアをＦＤＤダウンリンクキャリアと称し、現在の一対のＦＤＤ周波数帯域におけるアップリンクデータを送信するのに使用されるキャリアをＦＤＤアップリンクキャリアと称する。従来技術の問題点を解決するために、本発明の多様な実施形態は、アップリンクサウンディング参照信号を送信するための方法、ＦＤＤダウンリンクキャリアでＳＲＳを送信するための方法、及びＦＤＤアップリンクキャリアがアップリンク信号及びダウンリンク信号を送信できる場合にＳＲＳを送信するための方法を説明する。この方法が使用される場合、基地局は、受信されたＳＲＳに基づいてアップリンクチャネル情報を推定し、アップリンクチャネルとダウンリンクチャネル間の相互関係を利用してダウンリンクチャネル情報を取得できる。ダウンリンクチャネル推定を直接実行する端末と比較する時、上記方法はダウンリンク参照シンボル(symbol）の負荷を節減し、ダウンリンクチャネル情報取得における無線インターフェース遅延を減少させることができ、従って、ＦＤＤモードが大規模多重アンテナシステムにさらに適合となる。具体的に、ＦＤＤシステムのダウンリンクキャリアでは、本発明の多様な実施形態で説明された方法を使用してＳＲＳを送信するのに使用されたダウンリンクサブフレームを決定することができ、そのダウンリンクサブフレームの指定されたシンボルでアップリンクＳＲＳが送信される。この場合、指定されたシンボルは、標準により予め決定された/予め設定されたシンボルであり得る。ＦＤＤシステムのアップリンクキャリアがアップリンク信号及びダウンリンク信号を送信できる場合(アップリンクキャリアは、フレキシブルデュプレックス(flexible duplex）のアップリンクキャリアと称される)には、ＦＤＤアップリンク/ダウンリンク比率が変更可能であり、これは非対称アップリンク/ダウンリンクサービスをより良好にサポートできる。本発明の多様な実施形態は、また、シナリオ下におけるＳＲＳ送信に対して説明する。
【００５０】
具体的に、本発明の多様な実施形態で説明されたアップリンクＳＲＳを送信するための方法は、端末により実行されるＳＲＳを送信するための方法、基地局により実行されるＳＲＳを受信するための方法及びチャネル推定方法を含む。ＳＲＳを送信するための方法であって、端末は、ＳＲＳの設定及びトリガーリング情報(triggering  information)を取得する。ＳＲＳ設定及びトリガーリング情報に基づいて、端末はフレキシブルデュプレックスのダウンリンクキャリア又はアップリンクキャリアにおけるＳＲＳ送信を設定及びトリガーし、また、ＳＲＳにより占有されるリソースを決定する。この場合、ＳＲＳのトリガーリングは２種類のトリガーリングタイプを含むが、タイプ０は、上位階層シグナリングを通してＳＲＳをトリガーすることであり、タイプ１は、物理的階層シグナリングを通してＳＲＳをトリガーすることである。ＳＲＳの特定設定パラメータは、ＴＤＤ又はＦＤＤのパラメータ設定に従うか又は新たなパラメータ設定を使用することができる。その時、端末は、ＳＲＳ電力制御と関連した情報を取得し、ＳＲＳ電力値を決定し、また、上記決定されたＳＲＳにより占有されるリソースでＳＲＳを送信する。基地局により実行される、ＳＲＳを受信するための方法及びチャネル推定方法であって、基地局は、フレキシブルデュプレックスのダウンリンクキャリア及びアップリンクキャリアでアップリンクＳＲＳを受信し、そのＳＲＳに基づいて、ダウンリンクチャネル情報を取得する。ＳＲＳ送信の間、端末におけるＳＲＳの送信及び基地局におけるＳＲＳの受信とチャネル推定は相互協力して実現され、説明の便宜のために、以下では、両側に対する処理が共に説明される。
【００５１】
図３Ａは、本発明の多様な実施形態による、アップリンクサウンディング参照信号を送信する端末の動作フローチャートの一例である。
【００５２】
図３Ａを参照すると、ブロック３０１で、端末は、ＳＲＳの設定及びトリガーリング情報を取得し、ＳＲＳが位置されるキャリア及びサブフレームを決定する。
【００５３】
端末は、ＳＲＳ設定及びトリガーリング情報によって、指定されたキャリアでＳＲＳの送信を設定及びトリガーする。ＦＤＤシステムのダウンリンクキャリア及びアップリンクキャリアの両方がＳＲＳリソースで構成されると仮定すると、メカニズムは、ＦＤＤシステムのアップリンク及び/又はダウンリンクキャリアでＳＲＳ送信を設定及びトリガーし、またＳＲＳにより占有されるリソースを決定する必要がある。この場合、ＳＲＳが位置されるキャリアが決定される必要がある。一方、ＳＲＳが位置されるキャリアのサブフレームが決定される必要がある。ここで、従来の技術と相異することは、ＳＲＳがフレキシブルデュプレックスのＦＤＤダウンリンクキャリア及びアップリンクキャリアで送信できるという点である。これと同時に、ＳＲＳは、対応するキャリア上のアップリンクサブフレーム又はダウンリンクサブフレームで送信される。しかし、以下、幾つかの場合では、ＳＲＳが単にアップリンクサブフレームのみで送信されると制限される。対応するキャリア及びサブフレーム上のＳＲＳのシンボル位置は、端末により決定されるか、又は標準により決定されてもよく、本明細書ではこれが限定されない。
【００５４】
現在、ＳＲＳの設定及びトリガーリングは、セル固有のＳＲＳ設定及びＵＥ固有のＳＲＳトリガーリングを含む。この場合、ＵＥ固有のＳＲＳトリガーリングは、２種類のトリガーリングタイプを含むが、タイプ０は、上位階層シグナリングを通してＳＲＳをトリガーすることであり、タイプ１は、物理階層シグナリングを通してＳＲＳをトリガーすることであり、ここで、物理階層シグナリングは、アップリンクグラント(uplink Grant;UL Grant)スケジューリングアップリンクデータ及びダウンリンクグラント(downlink Grant;DL Grant)スケジューリングダウンリンクデータを含む。この場合、タイプ０ ＳＲＳトリガーリングにおいて、上位階層シグナリングは、トリガーリング情報及び設定パラメータを含む。タイプ１ ＳＲＳトリガーリングにおいて、物理階層シグナリングは、指定されたキャリアでＳＲＳ送信をトリガーするために使用され、設定パラメータは、上位階層シグナリングを通して送信される。セル固有のＳＲＳ設定は、セルの上位階層シグナリングにより表示される。
【００５５】
セル固有のＳＲＳ及びＵＥ固有のＳＲＳにおいて、一対のＦＤＤアップリンクキャリア及びＦＤＤダウンリンクキャリアがサービングセル(serving cell）を形成する場合、この２個のキャリアは、相異なるパラメータを使用してＳＲＳを設定及びトリガーできる。ＳＲＳ設定及びトリガーリングパラメータは、対応するシグナリングが行なわれるＦＤＤアップリンクキャリア又はＦＤＤダウンリンクキャリアを表示できる。例えば、上位階層シグナリングにより表示されるセル固有の設定シグナリング、トリガーリングタイプが０であるＳＲＳシグナリング、及び/又はトリガーリングタイプが１であるＳＲＳ設定シグナリングは、対応するシグナリングが行なわれるアップリンクキャリア又はダウンリンクキャリアを表示するフィールドを含む。他の例で、アップリンクキャリアがフレキシブルデュプレックスキャリアとして設定可能である場合(従って、ＳＲＳ設定及びトリガーリングはアップリンクキャリアで送信できる)、ＳＲＳ上位階層シグナリングが行なわれるキャリアは、そのシグナリングを送信するのに使用されるキャリアであって、ここで、ＳＲＳ上位階層シグナリングは、セル固有の設定シグナリング、トリガーリングタイプが０であるＳＲＳシグナリング、トリガーリングタイプが１であるＳＲＳ設定シグナリングを指す。他の例では、幾つかのダウンリンクサブフレームにおけるＳＲＳ上位階層シグナリングがダウンリンクキャリア上で行われ、他のダウンリンクサブフレームにおけるＳＲＳ上位階層シグナリングは、アップリンクキャリア上で行なわれることができるものと定義されてもよい。本発明の多様な例示的実施形態によれば、一対のＦＤＤアップリンク及びダウンリンクキャリアは、ＬＴＥ Rel ８においてＦＤＤセルに適用可能である一対のキャリアを指す。
【００５６】
以下では、タイプ０ ＳＲＳトリガーリング及びタイプ１ ＳＲＳトリガーリングでＳＲＳを送信するキャリアを決定するための方式が説明される。本発明の多様な例示的実施形態によれば、アップリンクキャリア及びダウンリンクキャリアは、相異なるサービングセルとして設定可能である。この２個のキャリアは、相異なるセルＩＤに対応し、相異なるセルパラメータが割り当てられる。ＦＤＤアップリンクキャリア及びＦＤＤダウンリンクキャリアは、また、信号送信のためのサービングセルとして設定可能である。以下では、このような２種類のシナリオに対する相異なる処理方法が説明される。
【００５７】
トリガーリングタイプ０においては、ＦＤＤアップリンクキャリア及びＦＤＤダウンリンクキャリアが処理のために相異なるサービングセルとして設定される場合、対応するキャリアにおけるＳＲＳ送信のトリガーリングがセルそれぞれの上位階層シグナリングで実行でき、キャリア及びダウンリンクキャリアに対する相異なるＳＲＳ設定パラメータがそれぞれ設定可能である(例えば、ＳＲＳ周期及び/又はオフセットなどの情報)。ＦＤＤアップリンクキャリア及びＦＤＤダウンリンクキャリアが一つのサービングセルとして設定される場合、アップリンクキャリア及びダウンリンクキャリアのうち何れかのキャリアでＳＲＳ送信がトリガーされるかがさらに決定されることができ、例えば、アップリンクキャリア及びダウンリンクキャリアを区別するのに使用されるインジケータがトリガーリングタイプが０である上位階層シグナリングに追加される。この方法が使用される場合、アップリンク及びダウンリンクキャリアは、また、ＳＲＳ周期及び/又はオフセットなどの情報のような、相異なるＳＲＳ設定パラメータで設定可能である。本発明の多様な例によれば、セルの２個のキャリアは、LTERel８においてＦＤＤセルに適用できる一対のキャリアを指してもよく、又はＦＤＤセルに適用可能である一対のキャリアに限定されないこともある。
【００５８】
トリガーリングタイプ１において、何れかのキャリアでＳＲＳ送信が物理階層シグナリングによりトリガーされるかは次のような方式によって決定されることができる。
【００５９】
方式ａで、ＳＲＳを送信するのに使用されるキャリアは、物理階層シグナリングスケジューリングデータが位置されるキャリアによって決定されることができる。すなわち、物理階層シグナリングスケジューリングデータが位置されるキャリアは、ＳＲＳを送信するのに使用されるキャリアである。例えば、ＳＲＳ送信をトリガーする物理階層シグナリングがＤＬグラントであり、また物理階層シグナリングがキャリアインジケータフィールド(Carrier Indicator Field;ＣＩＦ)を含む場合、物理階層シグナリングは、そのＣＩＦに対応するダウンリンクキャリアでアップリンクＳＲＳ送信をトリガーする。他の例で、ＳＲＳ送信をトリガーする物理階層シグナリングがＤＬグラントであり、また、物理階層シグナリングがＣＩＦを含まない場合、物理階層シグナリングによりスケジューリングされるデータ及び物理階層シグナリングは同一のキャリア上に存在し、物理階層シグナリングにおけるＳＲＳ要請フィールドは物理階層シグナリングが位置するアップリンク又はダウンリンクキャリアでアップリンクＳＲＳ送信をトリガーする。もう一つの例では、ＳＲＳ送信をトリガーする物理階層シグナリングがＵＬグラントであり、また、物理階層シグナリングがサービングセルｃで物理的アップリンク共有チャネル(physical uplink shared channel;ＰＵＳＣＨ)送信をスケジューリングする場合、物理階層シグナリングは、サービングセルｃに対応するアップリンクキャリアのＳＲＳ送信をトリガーする。
【００６０】
方式ｂで、ＳＲＳを送信するのに使用されるキャリアは、物理階層シグナリングスケジューリングデータのタイプによって決定されることができる。ＳＲＳ送信をトリガーする物理階層シグナリングがダウンリンクデータをスケジューリングするのに使用されるＤＬグラントである場合、例えば、物理階層シグナリングがダウンリンク制御情報(Downlink Control Information;ＤＣＩ)フォーマット１Ａ／２Ｂ／２Ｃである場合、ＦＤＤダウンリンクキャリアはＳＲＳを送信するのに使用されるキャリアである。ＳＲＳ送信をトリガーする物理階層シグナリングがアップリンクデータをスケジューリングするのに使用されるＵＬグラントである場合、例えば、物理階層シグナリングがＤＣＩフォーマット０／４である場合、ＦＤＤアップリンクキャリアはＳＲＳを送信するのに使用されるキャリアである。この場合、ＳＲＳ送信のキャリア方向が決定される際に、キャリアは物理階層シグナリングにおけるＣＩＦによってさらに決定されることができる。
【００６１】
方式ｃで、ＳＲＳを送信するのに使用されるキャリアは、物理階層シグナリングが位置されるキャリアによって決定されることができ、すなわち、物理階層シグナリングが位置されるキャリアはＳＲＳを送信するキャリアとして設定される。例えば、ＳＲＳ送信をトリガーする物理階層シグナリングがダウンリンクキャリアにあり、また、物理階層シグナリングがＤＬグラント又はＵＬグラントである場合、物理階層シグナリングはダウンリンクキャリアでＳＲＳ送信をトリガーする。他の例では、ＳＲＳ送信をトリガーする物理階層シグナリングがアップリンクキャリアにあり、また、物理階層シグナリングがＤＬグラント又はＵＬグラントである場合、物理階層シグナリングはアップリンクキャリアでＳＲＳ送信をトリガーする。
【００６２】
ＵＥ固有のＳＲＳ送信のキャリアは、上記の処理を通して決定される。以下では、何れかのＳＲＳ設定パラメータ(ＳＲＳサブフレームを決定するのに使用される)が対応するキャリアで使用されるかに対して説明する。本発明の多様な実施形態によって、２種類のパラメータ設定方式が説明される。第１の方式では、ＴＤＤ又はＦＤＤパラメータ設定に従う。第２の方式では、新たなパラメータ設定が使用される。第１の方式に対してまず説明する。第１の方式によれば、ＳＲＳ設定パラメータが決定されることができる。同時に、セル固有のＳＲＳ送信において、ＳＲＳトリガーリングは、また、ＴＤＤ又はＦＤＤモードで実行されることができる(これに対しては、以下で適切に説明される)。次のような相異なる処理方式が説明されることができる。
【００６３】
状況ａでは、ＦＤＤダウンリンクキャリア及びＦＤＤアップリンクキャリアが同一のＳＲＳ設定及びトリガーリング情報を共有する。サービングセルのＦＤＤアップリンクキャリアがＦＤＤモードによってＳＲＳ設定及びトリガーリングを実行する場合(例えば、ＦＤＤアップリンクキャリアがアップリンク送信だけのために使用されてダウンリンク送信のためには使用されない場合、ＦＤＤアップリンクキャリアはＦＤＤモードによってＳＲＳ設定及びトリガーリングを実行する)、ＦＤＤアップリンク/ダウンリンクキャリアのＳＲＳは、ＬＴＥ１２及び以前バージョンのＦＤＤモードによって設定及びトリガーされる。そして/又は、サービングセルのＦＤＤアップリンクキャリアがＴＤＤモードによってＳＲＳ設定及びトリガーリングを実行する場合(例えば、ＦＤＤアップリンクキャリアがアップリンク送信及びダウンリンク送信をサポートする場合、ＳＲＳ設定及びトリガーリングはＴＤＤモードによって実行される)、ＦＤＤアップリンク/ダウンリンクキャリアのＳＲＳは、ＬＴＥ１２及び以前バージョンのＴＤＤモードによって設定及びトリガーされる。
【００６４】
状況ｂでは、ＦＤＤアップリンクキャリア及びＦＤＤダウンリンクキャリアが同一のＳＲＳ設定及びトリガーリング情報を共有し、ＦＤＤアップリンク/ダウンリンクキャリアのＳＲＳがＬＴＥ１２及び以前バージョンのＦＤＤモードによって設定及びトリガーされる。
【００６５】
状況ｃでは、ＦＤＤアップリンクキャリア及びＦＤＤダウンリンクキャリアが同一のＳＲＳ設定及びトリガーリング情報を共有し、ＦＤＤアップリンク/ダウンリンクキャリアのＳＲＳがＬＴＥ１２及び以前バージョンのＴＤＤモードによって設定及びトリガーされる。
【００６６】
状況ｄでは、一対のＦＤＤアップリンクキャリア及びＦＤＤダウンリンクキャリアが同一のＳＲＳ設定及びトリガーリング情報を共有する場合、ユーザ端末（ＵＥ）は上位階層シグナリング又は物理階層シグナリングを通して現在のＦＤＤアップリンクキャリアにおける実際アップリンク及びダウンリンクサブフレーム分布を取得すると仮定される(例えば、基地局はＵＥのうち一つ以上、又は全てに対する再設定ＤＣＩを伝送する)。サービングセルのＦＤＤアップリンクキャリアがダウンリンク送信を実行できるか否かをＵＥが知らない場合、例えば、ＵＥが現在の無線フレームの再設定ＤＣＩを正確に検出できず、ダウンリンク送信をアップリンクキャリアがサポートするか否かによって(ＦＤＤ又はＴＤＤ使用を使用して)ＳＲＳ設定及びトリガーリングモードをＵＥが決定する必要がある場合、ＵＥは、ＦＤＤアップリンクキャリアがダウンリンク送信をサポートするか否かを示す表示を受信するまで、対応するＳＲＳ送信を実行せずに受信されたアップリンク及びダウンリンクキャリアのＳＲＳ設定を無視し、ＵＥは、受信された表示によってＳＲＳ送信を復旧する。
【００６７】
状況ｅでは、一対のＦＤＤダウンリンクキャリア及びＦＤＤアップリンクキャリアがサービングセルを設定する場合、ＦＤＤダウンリンクキャリア及びＦＤＤアップリンクキャリアは相異なる方式を使用してＳＲＳを設定及びトリガーできる。基地局は、上位階層シグナリングを通して各ＦＤＤキャリアの設定及びトリガーリングモードがＦＤＤであるかＴＤＤであるかを通知するか、又は、ＦＤＤ又はＴＤＤモードが使用されるか否かが予め決定される。
【００６８】
状況ｆでは、一対のＦＤＤダウンリンクキャリア及びＦＤＤアップリンクキャリアが２個のサービングセルを設定し、また、各セルがＳＲＳ設定及びトリガーリングパラメータのセットを使用できる場合、ＦＤＤダウンリンクキャリアに対応するサービングセルはＬＴＥ１２及び以前バージョンのＦＤＤ又はＴＤＤモードによってＳＲＳを設定できる。対案的には、このような状況下で、基地局が上位階層シグナリング又は物理階層シグナリングを使用して、ＴＤＤモードを使用するか又はＦＤＤモードを使用するかをＵＥに通知することによって、ＳＲＳを設定する。ＵＥがキャリア集成(aggregation)モードを使用する場合には、各ＦＤＤダウンリンクキャリア及びＦＤＤアップリンクキャリアが単一のサービングセルとして取扱されてもよい。各ＦＤＤダウンリンクキャリア上のＳＲＳ設定は、特定要求事項によってＦＤＤ又はＴＤＤモードで設定されることができる。例えば、フレキシブルデュプレックスのダウンリンクキャリアをサポートしないＵＥが考慮される場合、ＵＥ ＦＤＤダウンリンクキャリア上のＳＲＳはＦＤＤモードに従って設定及びトリガーされることができる。他の例で、隣接セル間の干渉が考慮される場合、システムはＴＤＤモードに従ってＵＥ ＦＤＤダウンリンクキャリア上のＳＲＳを設定及びトリガーする。
【００６９】
以下では、周期的ＳＲＳ上で実行される特殊処理に対して説明する。この場合、向上した干渉管理及びトラフィック適応(enhanced Interference Management and Traffic Adaptation;ｅＩＭＴＡ)又は新たな処理方法が利用されることができる。
【００７０】
方法ａでは、アップリンクキャリアのサブフレーム送信方向が変更可能であり、また、ＵＥがサービングセルのＦＤＤアップリンクキャリアにおける実際サブフレームアップリンク及びダウンリンク分布を知らない場合、例えば、ＵＥが現在の無線フレームの再設定ＤＣＩを正確に検出できない場合、ＵＥは、トリガーリングタイプが０であるＳＲＳ設定を無視し、対応するＳＲＳ送信を実行しない。
【００７１】
方法ｂで、アップリンクキャリアのサブフレーム送信方向が変更可能であり、ＵＥがサービングセルのＦＤＤアップリンクキャリアで実際サブフレームアップリンク及びダウンリンク分布を知らない場合、ダウンロードＨＡＲＱ(Hybrid Automatic Repeat Request)参照構成によって、アップリンク及びＵｐＰＴＳに使用されないサブフレームにおいては、ＰＵＳＣＨがそのサブフレームにスケジューリングされていない場合に、ＵＥは、トリガーリングタイプが０であるＳＲＳ送信をそのサブフレームで実行しない。
【００７２】
上記したＳＲＳパラメータ設定は、ＴＤＤ又はＦＤＤによってＳＲＳを設定及びトリガーするための方法を示す。フレキシブルデュプレックスのアップリンクキャリアで、ＦＤＤ ＵＬは８ｍｓアップリンク/ダウンリンク設定として設定されることができる。この場合、セル固有のＳＲＳ及びＵＥ固有のＳＲＳは８ｍｓ周期の処理方式を追加する必要がある。ＳＲＳを送信するのに使用されるキャリアを決定するための方法は次のように説明される。
【００７３】
方法ａでは、ＦＤＤシステムのアップリンクキャリアがアップリンク信号及びダウンリンク信号を送信できる場合、ＦＤＤアップリンクキャリアのサブフレームの送信方向は８ｍｓ周期によって設定されることができ、すなわち、ダウンリンクからアップリンクへのスイッチポイント周期は８ｍｓである(図４に図示される)。本図面には、アップリンクサブフレーム及びダウンリンクサブフレームがマーキングされている。サブフレーム（４０１及び４０２）は上述したような特殊サブフレームであり、これはＤｗＰＴＳ、ＧＰ、及びＵｐＰＴＳを含む３個のフィールドに使用される特殊サブフレームを示す。ＳＲＳが特殊サブフレーム及びアップリンクサブフレームのみで送信される場合(すなわち、ＳＲＳがダウンリンクサブフレームでは送信されない)、ＳＲＳはＬＴＥ１２及び以前バージョンのＦＤＤ又はＴＤＤモードによって設定されることができる。設定及びトリガーされたＳＲＳがダウンリンクサブフレームで送信される場合、ＵＥはダウンリンクサブフレームにおけるＳＲＳ送信を無視し、すなわち、ＳＲＳ送信が実行されない。
【００７４】
方法ｂでは、ＦＤＤアップリンクキャリアのダウンリンク-アップリンクスイッチポイント周期が８ｍｓであり、ＳＲＳが特殊サブフレーム及びアップリンクサブフレームのみで送信される場合、新たな方式を利用してＳＲＳを送信するために使用されるサブフレームを設定する。インターバルが８ｍｓであるサブフレームは、８ｍｓのダウンリンク-アップリンクスイッチポイント周期による全てのアップリンクサブフレーム又は全てのダウンリンクサブフレームであるために、この新たなＳＲＳ設定方式では、セル固有のＳＲＳ及びＵＥ固有のＳＲＳの送信周期が４ｍｓの整数倍であってもよく、ＳＲＳは、ＳＲＳ送信周期内の対応オフセットで送信され(例えば、４ｍｓのＳＲＳサブフレーム周期)、サブフレームオフセットは、０、１、２又は３であってもよい。本発明の第１乃至第３の例示的な実施形態における特定実現に対して説明する。
【００７５】
ＳＲＳ送信がどのキャリアのどのサブフレーム及び特定ＳＲＳ設定パラメータで実行されるかは上記の方法により決定される。
【００７６】
図３Ａのブロック３０２で、端末はＳＲＳ電力制御と関連した情報を取得して、ＳＲＳ電力値を決定し、またＳＲＳを送信する。端末がＳＲＳを送信する以前には、電力制御がＳＲＳに対して実行される。ＦＤＤダウンリンクキャリア及びＦＤＤアップリンクキャリアにより実行されるＳＲＳ上の電力制御が処理される時、システムが処理するための相異なるセルとしてＦＤＤダウンリンクキャリア及びＦＤＤアップリンクキャリアを設定し、また、ＦＤＤアップリンクキャリアに対応するセルがセルｃで表示される場合には、サブフレームｉ上のＳＲＳ送信電力は３ＧＰＰ ＴＳ ３６．２１３ ｖ１０．２．０で、PSRS,c(i)によって、すなわち
【００７７】
【数７】
0006599357.tif 000010
【００７８】
によって決定される。その中でも、各物理変数の意味及び値は３ＧＰＰ ＴＳ ３６．２１３ ｖ１０．２．０の５．１．３と同一である。
【００７９】
ＦＤＤダウンリンクキャリアに対応するセルがセルｃで表示される場合、サブフレームｉPSRS,c(i)でＳＲＳのＵＥ送信電力は次の数式によって決定される。
【００８０】
【数８】
0006599357.tif 000011
【００８１】
その中でもPCMAX,c(i), PSRS_OFFSET,c(m), MSRS,c, 及びαc(j)は、３ＧＰＰ ＴＳ ３６．２１３ ｖ１０．２．０における定義により決定される。PO_PUSCH,d(j)は、セルｄのＰＵＳＣＨ電力制御パラメータを表し、ここでセルｄが位置されるアップリンクキャリア及びセルｃが位置されるダウンリンクキャリアは、ＬＴＥ Ｒｅｌ８で一対のＦＤＤキャリアを構成できる。PLcは、５.１.１における定義により決定される。fc(i)は、サービングセルｃのアップリンク電力制御調整値である。本発明の多様な実施形態によれば、ダウンリンクキャリアの場合、fc(i)は、ＴＳ３６.２１３ｖ１０.２.０の５.１.１.１におけるfc(i)の記述によって、ダウンリンク制御情報(Downlink Control Information;ＤＣＩ)フォーマット３／３Ａに対応する送信器電力制御(Transmitter Power Control;ＴＰＣ)を通して取得されるか又は５.１.１.１でfc(i)を補正して取得できる。実際において、fc(i)は、動的電力オフセットである。５.１.１.１で、fc(i)は、物理階層シグナリングＵＬグラントでＴＰＣにより表示されるか、又はＤＣＩフォーマット３／３ＡでＴＰＣにより表示されることができる。ＦＤＤダウンリンクキャリアがＰＵＳＣＨを送信するように許可されない場合、ダウンリンクキャリアには対応する物理階層制御シグナリングＵＬグラントがない。従って、本発明の多様な例によれば、ＳＲＳ送信電力がダウンリンクキャリアに対して算出される場合、fc(i)は、５.１.１.１で説明された通り、単にＤＣＩフォーマット３／３Ａだけにより表示される。本発明の多様な実施形態によれば、ＳＲＳ送信電力がダウンリンクキャリアに対して算出される場合、fc(i)は、ＤＬグラントのＴＰＣ表示によって決定されることができ、これに対しては後述する。
【００８２】
上記した数式(２)を数式(１）と比較すると、数式(２)におけるＳＲＳ送信電力はＰＵＳＣＨ電力制御パラメータPO_PUSCH,d(j)を考慮する。これは、既存のＳＲＳがアップリンクキャリアで送信され、また、ＰＵＳＣＨもアップリンクキャリアで送信されためであり、ＰＵＳＣＨ電力制御パラメータはチャネル特性の類似性により考慮される。しかし、本発明の多様な実施形態によれば、ダウンリンクキャリアにおけるＳＲＳ送信の場合、ダウンリンクキャリア及びＰＵＳＣＨのチャネル特性は相異なり、従って、ＳＲＳ送信電力はＰＵＳＣＨ電力制御パラメータを考慮することなく数式(１)によって算出できる。
【００８３】
以下では、fc(i)を決定するための方法に対して詳細に説明する。従来のＤＣＩフォーマット３／３Ａは、サービングセルのアップリンクキャリア電力制御だけを表示する。本発明の多様な実施形態によれば、ＤＣＩフォーマット３／３ＡによるダウンリンクキャリアのＳＲＳ電力制御を表示するための方法が説明される。第１の表示方法は、次のように実現されることができる。ＬＴＥ Release８における一対のＦＤＤアップリンクキャリア及びＦＤＤダウンリンクキャリアは、２個のセル又は一つのセルであり得る。ＤＣＩフォーマット３／３Ａが適用されるキャリアを区別するために、適用されるキャリアは明白に表示されることができる。例えば、インジケータフィールドがＤＣＩフォーマット３／３Ａに追加され、ここで、インジケータフィールドはＣＩＦ及びアップリンク/ダウンリンクインジケータフィールドを含む。ＵＥにより受信されるＤＣＩフォーマット３／３ＡにおけるＣＩＦは、サービングセルｃに対応し、また、アップリンク/ダウンリンクインジケータフィールドが“１”（又は“０”)である場合には、ＤＣＩフォーマット３／３Ａがサービングセルｃのダウンリンク(又はアップリンク)キャリアに適用される。他の例では、インジケータフィールドが、単に、アップリンク/ダウンリンクインジケータフィールドだけを含む。ＵＥがサービングセルｄでＤＣＩフォーマット３／３Ａを受信し、また、アップリンク/ダウンリンクインジケータフィールドが“ダウンリンク”である場合には、ＤＣＩフォーマット３／３Ａがサービングセルｄのダウンリンクキャリアに適用される。アップリンク/ダウンリンクインジケータフィールドが“アップリンク”である場合には、ＤＣＩフォーマット３／３Ａがプライマリサービングセルのアップリンクキャリアに適用される。
【００８４】
第２の表示方法によれば、ダウンリンクキャリアのＤＣＩフォーマット３／３Ａの巡回冗長検査(Cyclic Redundancy Check;ＣＲＣ)がＳＲＳ-専用無線ネットワーク一時的識別子(Radio Network Temporary Identifier;ＲＮＴＩ)を使用してスクランブリングされる。ＵＥが専用ＲＮＴＩでスクランブリングされるＤＣＩを検出する場合、ＵＥは、ＤＣＩフォーマットがダウンリンクキャリアに適用されるものと決定できる。例えば、ＵＥがサービングセルｃでＳＲＳ-専用ＲＮＴＩでスクランブリングされるＤＣＩフォーマット３／３Ａを受信する場合には、ＤＣＩフォーマット３／３Ａがダウンリンクキャリアに適用される。ＵＥがＤＣＩフォーマット３／３Ａを検出し、また、ＤＣＩがダウンリンクキャリアＳＲＳ-専用ＲＮＴＩでスクランブリングされない場合、ＵＥは、ＤＣＩフォーマットがアップリンクキャリアに適用されたものと決定できる。
【００８５】
第３の表示方法によれば、ＤＣＩフォーマット３／３Ａは、アップリンクキャリアのＴＰＣ及びダウンリンクキャリアのＴＰＣを含む。ＤＣＩフォーマット３／３Ａにおける各ＴＰＣは、対応する一連番号を有し、上位階層パラメータは、ＵＥの各アップリンクキャリア及びダウンリンクキャリアのＴＰＣの一連番号を表示する。ＵＥは、ＤＣＩフォーマット３／３Ａから、対応する一連番号のＴＰＣを判読する。例えば、ＤＣＩフォーマット３で、上位階層シグナリングはＵＥの一つ又は複数のキャリアのＴＰＣの一連番号を表示する。上位階層シグナリングが一つのキャリアのＴＰＣの一連番号を表示する場合、そのキャリアは、アップリンクキャリア又はダウンリンクキャリアであり得る。上位階層シグナリングが複数のキャリアのＴＰＣの一連番号を表示する場合、その複数のキャリアはアップリンクキャリア及びダウンリンクキャリア両側を含むことができる。
【００８６】
第４の表示方法によれば、一部サブフレームのＤＣＩフォーマット３／３Ａがダウンリンクキャリアに適用され、他のサブフレームのＤＣＩフォーマット３／３Ａがアップリンクキャリアに適用されるものと定義される。
【００８７】
当然、ＤＣＩフォーマット３／３Ａに対応するキャリアを表示するための上記第４の方法は、ＳＲＳ送信がアップリンクキャリア及びダウンリンクキャリアで存在しながらダウンリンクキャリアのＳＲＳ送信のみのためのものでない状況にも適用されることができる。上記第４の方法は、任意の組み合わせで使用されることができる。例えば、第３の表示方法が第２の表示方法と組み合わせることができ、ここで、ＤＣＩフォーマットが適用されるキャリアの方向はダウンリンクキャリアＳＲＳ-専用ＲＮＴＩスクランブリングにより表示され、また、ＵＥダウンリンクキャリアのＴＰＣ一連番号が上位階層パラメータを使用して決定される。
【００８８】
以下では、ＤＬグラントのＴＰＣインジケータを使用するfc(i)の決定に対して説明する(すなわち、５.１.１.１の補正)。具体的には、fc(i)の算出で必要とするＵＬグラントのＴＰＣはＤＬグラントのＴＰＣに代替される。例えば、ＤＬグラントがサービングセルｃで送信される場合には、ＤＬグラントのＴＰＣがfc(i)を算出するのに使用される。他の例で、サービングセルｃのＤＬグラントがサービングセルｃで物理ダウンリンク共有チャネル(Physical Downlink Shared Channel;ＰＤＳＣＨ）をスケジューリングする場合には、ＤＬグラントのＴＰＣがfc(i)を算出するのに使用される。ＤＬグラントのＴＰＣは、もともと、物理アップリンク制御チャネル(Physical Uplink Control Channel;ＰＵＣＣＨ）の電力制御のために使用されるものであるが、ここではＳＲＳ電力制御のために使用される。
【００８９】
ＦＤＤダウンリンクキャリア及びアップリンクキャリアのＳＲＳ電力制御において、システムが処理のための同一のセルとしてＦＤＤダウンリンクキャリア及びアップリンクキャリアを設定する場合、セルｃのアップリンクキャリア及びダウンリンクキャリアのＳＲＳ送信電力は次のように決定されることができる。
【００９０】
サブフレームｉにおけるセルｃのダウンリンクキャリアのＳＲＳのＵＥ送信電力を仮定すれば、PSRS,c,DL(i)は次の数式により定義される:
【００９１】
【数９】
0006599357.tif 000012
【００９２】
サブフレームｉにおけるセルｃのアップリンクキャリアのＳＲＳのＵＥ送信電力は、PSRS,c,UL(i)で表示される。PSRS,c,UL(i)は、３ＧＰＰＴＳ３６．２１３ｖ１０．２．０の５．１．３におけるPSRS,c(i)と同等なものと定義されてもよい。
【００９３】
対案的に、セルｃのダウンリンクキャリアの電力PSRS,c,DL(i)は、アップリンクキャリアのＰＵＳＣＨ電力制御パラメータに独立的である:
【００９４】
【数１０】
0006599357.tif 000013
【００９５】
その中でも、PO_PUSCH,c(j)は、３ＧＰＰＴＳ３６．２１３ｖ１０．２．０の５．１．３における定義によって決定され、PLcは、５．１．１における定義によって決定される。
【００９６】
数式(３)及び数式(４)でPCMAX,c,DL(i), PSRS_OFFSET,c,DL(m), MSRS,c,DL及びαc,DL(j)は、サービングセルｃのダウンリンクキャリアの電力制御パラメータである。３ＧＰＰＴＳ３６．２１３ｖ１０．２．０の５．１．３におけるPCMAX,c,DL(i), PSRS_OFFSET,c,DL(m), MSRS,c,DL及びαc,DL(j)の記述における“サービングセルｃ”を“サービングセルｃのダウンリンクキャリア”に切り替えることでPCMAX,c,DL(i), PSRS_OFFSET,c,DL(m), MSRS,c,DL及びαc,DL(j)を取得する。
【００９７】
対案的に、PCMAX,c,DL(i), PSRS_OFFSET,c,DL(m)及び/又はαc,DL(j)の場合、上位階層は、アップリンクキャリア及びダウンリンクキャリアに対するパラメータの２個のセットを各々設定することなく、サービングセルｃに対するパラメータのセットを設定する(すなわち、単に、PCMAX,c,DL(i), PSRS_OFFSET,c,DL(m)及び/又はαc,DL(j)だけが設定される)。従って、数式(１)及び数式(２)で、PCMAX,c,DL(i), PSRS_OFFSET,c,DL(m)及び/又はαc,DL(j)は、PCMAX,c,DL(i), PSRS_OFFSET,c,DL(m)及び/又はαc,DL(j)に切り替えることができ、ここで、PCMAX,c,DL(i), PSRS_OFFSET,c,DL(m)及び/又はαc,DL(j)は、３ＧＰＰＴＳ３６．２１３ｖ１０．２．０の５．１．３により定義される。
【００９８】
fc,DL(i)は、サービングセルｃのダウンリンクキャリア電力制御調整値であり、この値は、サービングセルｃのダウンリンクキャリアを表示するＤＣＩフォーマット３／３ＡのＴＰＣに対して、ＴＳ３６.２１３ｖ１０.２.０の５.１.１.１におけるfc(i)を入力することによって取得されるか、又は５.１.１.１における算出に必要とするＵＬグラントのＴＰＣを、サービングセルｃのダウンリンクキャリアに対応するＤＬグラントのＴＰＣに変えることによって取得される。例えば、対応するＤＬグラントのＴＰＣは、サービングセルｃのダウンリンクキャリアで送信されるＤＬグラントのＴＰＣであるか、又はサービングセルｃのダウンリンクキャリアデータをスケジューリングするＤＬグラントのＴＰＣである。
【００９９】
要約すれば、端末がＳＲＳ電力制御情報を取得する時、ＳＲＳ送信が位置されるキャリアがアップリンクキャリアである場合、電力制御調整値fc(i)は、アップリンクキャリアに対応するＤＣＩフォーマット３／３ＡのＴＰＣにより表示されるか、又はＵＬグラントのＴＰＣにより表示されることができる。ＳＲＳ送信が位置されるキャリアがダウンリンクキャリアである場合、電力制御調整値fc(i)又はfc,DL(i)は、ダウンリンクキャリアに対応するＤＣＩフォーマット３／３ＡのＴＰＣにより表示されるか、又はＤＬグラントのＴＰＣにより表示されることができる。
【０１００】
また、ＳＲＳ送信電力を決定してＳＲＳを送信する場合、幾つかの特別な環境が考慮される。以下では、ＳＲＳとＳＲＳ、ＳＲＳとＳＩＢ、ＳＲＳとページングのようなチャネル衝突に対して説明する。
【０１０１】
ＦＤＤダウンリンクキャリア、ＦＤＤアップリンクキャリア及び他の集成キャリアがＳＲＳを同時に送信し、シンボル内の全体ＵＥ ＳＲＳ送信電力が
【０１０２】
【数１１】
0006599357.tif 000014
【０１０３】
より大きく、ここで
【０１０４】
【数１２】
0006599357.tif 000015
【０１０５】
はサブフレームｉにおける線形値であり、PCMAXは３ＧＰＰＴＳ３６.１０１で定義される場合、ＵＥは次のように説明される２種類方式を使用して、同一のシンボル内の全体ＵＥ ＳＲＳ送信電力が
【０１０６】
【数１３】
0006599357.tif 000016
【０１０７】
より大きくならないことを保障できる。第１の方式によれば、ＵＥはダウンリンクキャリアにおけるＳＲＳ送信を取り消した後、アップリンクキャリアでＳＲＳ送信を実行することができ、これによって基地局がそのアップリンクキャリアＳＲＳの推定に基づいてＰＵＳＣＨを効率的にスケジューリングできて、従ってＰＵＳＣＨの効率的な送信が保障されることができる。この場合、シンボルは単一キャリア周波数分割多重アクセス(Single Carrier Frequency Division Multiplexing Access;ＳＣ−ＦＤＭＡ)シンボル及び/又は直交周波数分割多重アクセス(Orthogonal Frequency Division Multiplexing Access;ＯＦＤＭＡ）シンボルを指す。対案的に第２の方式によれば、シンボル内の複数のＵＥ集成キャリアの全体ＳＲＳ送信電力が
【０１０８】
【数１４】
0006599357.tif 000017
【０１０９】
より大きい場合、ＵＥはアップリンクキャリアにおけるＳＲＳ送信を取り消した後、ＳＲＳ送信をダウンリンクキャリアで実行することができる。一般に、ＦＤＤダウンリンクキャリアにおけるＳＲＳ送信周波数はアップリンクキャリアにおけるＳＲＳ送信周波数より小さく、従って、ダウンリンクキャリアにおけるＳＲＳ送信が取り消される場合、対応するダウンリンクチャネル特性が長い期間内に取得されない。
【０１１０】
ＦＤＤダウンリンクキャリアが低いバージョンのＵＥをサポートする場合に(ここで、低いバージョンのＵＥは、ＦＤＤダウンリンクキャリアにおけるＳＲＳ送信をサポートしないＵＥを指す)、ＳＲＳがＦＤＤダウンリンクキャリアで送信される場合、低いバージョンのＵＥは、ＳＲＳを送信するシンボルにおけるダウンリンクデータ送信を続けて推定するようになり、これによって低いバージョンのＵＥのＰＵＳＣＨデコーディングエラーが発生する。このような問題を防止するために、低いバージョンのＵＥは、ダウンリンクデータのサブフレームを受信することができ、また、ＵＥは、サブフレームにおけるＳＲＳ送信を実行しない。ダウンリンクデータ又はサブフレームはＳＩＢＩ(System Information Block)、ページング信号、マルチメディアブロードキャストシングル周波数ネットワーク(Multimedia Broadcast Single Frequency Network;ＭＢＳＦＮ)サブフレーム、及び/又は低いバージョンのＵＥのセ半永続スケジューリング(Semi-Persistent Scheduling;ＳＰＳ）を送信するサブフレームを含む。
【０１１１】
具体的には、ＦＤＤダウンリンクキャリアの何れかのサブフレームがＳＲＳを送信するように許可されるかをＵＥに知らせるために、基地局は、ＳＲＳの設定及びトリガーリングがどのサブフレームで許可されるかを上位階層シグナリングを通して(例えば、ビットマッピング方式)ＵＥに通知できる。例えば、Ｍ個のサブフレームが１周期を設定する場合、基地局はＵＥにＭ−ビット上位階層シグナリングを通知し、それぞれのビットは、周期内の一つのサブフレームに対応する。サブフレームに対応するビットが０である場合、ＳＲＳ送信は許可されない。この場合、Ｍの値は４０であり得る。
図３Ｂは、本発明の実施形態によって、アップリンクサウンディング参照信号を受信した基地局のチャネル推定動作のフローチャートの一例である。
図３Ｂを参照すると、ブロック３１１で、基地局は、端末が送信したＳＲＳを受信する。
【０１１２】
また、ブロック３１２で、前記基地局は、前記受信されたアップリンクサウンディング参照信号情報に基づいてチャネル情報を取得する。
【０１１３】
具体的に、基地局は、受信されたアップリンクサウンディング参照信号によってアップリンクチャネルを測定するか、又はチャネルフェーディング(channel fading）を推定する。また、基地局は、対応するダウンリンクチャネルの測定又はチャネルフェーディング推定としてある推定された値を設定できる。この場合、対応するダウンリンクチャネルはＳＲＳを搬送するキャリアのダウンリンクチャネルである。空間観点で、対応するダウンリンクチャネルはＳＲＳアップリンクチャネルを搬送するのに使用される複数のアンテナの間のダウンリンクチャネルである。例えば、アンテナＡは、基地局側のアンテナであり、アンテナＢは端末のアンテナである。端末がアンテナＢを通してアップリンクＳＲＳを基地局のアンテナＡに送信する場合、アップリンクＳＲＳによって取得される、チャネル測定結果又はチャネルフェーディング推定結果は、アンテナＢとアンテナＡ間のチャネル測定結果又はチャネルフェーディング推定結果として設定されることができる。
【０１１４】
対応するダウンリンクチャネル情報がＳＲＳを使用して取得される場合には、ダウンリンクチャネル情報がダウンリンクチャネル情報の一部になり得ことを考慮し、従って、ＳＲＳチャネルは、ＵＥにより基地局に報告される他のチャネル測定結果又はチャネル推定結果と組み合わせられることによって、完全なダウンリンクチャネル情報を形成できる。この場合、ブロック３０２で、ＵＥは、基地局により発行されるダウンリンク参照シンボルによって決定される、ダウンリンクチャネルのチャネル測定結果又はチャネル推定結果を報告できる。例えば、ＳＲＳチャネルは、ダウンリンク参照シンボルに基づいてＵＥにより測定され、また、チャネル品質の測定を構成するようにＵＥにより報告される、チャネル品質インジケータ(Channel Quality Indicator;ＣＱＩ)と組み合わせられることができ、例えば、広帯域ＣＱＩがＳＲＳに基づいて測定され、下位帯域(subband)ＣＱＩがＵＥにより報告される場合に、基地局は、全体ＣＱＩを形成するためにＳＲＳにより測定される広帯域ＣＱＩとＵＥにより報告される下位帯域ＣＱＩを結合し、この全体ＣＱＩに基づいてアップリンク及び/又はダウンリンクスケジューリングを実行する。
【０１１５】
他の例では、ＵＥがＲＵ受信アンテナ及びＴＵ送信アンテナで構成される。一般に、ＵＥ側の送信アンテナの個数は受信アンテナの個数より小さいか、又は同一である(すなわち、ＴＵ≦ＲＵ)。従って、基地局はＳＲＳのチャネル推定に基づいて全てのダウンリンク送信及び受信アンテナの間のチャネル推定を取得できないことがある。例えば、ＵＥは２個のアンテナＢ及びＣで構成され、ここで、アンテナＢは、２-方式でデータを送信及び受信することができ、アンテナＣはデータの受信しかできない。基地局は、受信アンテナＡで構成される。基地局は、ＵＥにより送信されるアップリンクＳＲＳに基づいてアンテナＡとアンテナＢ間のダウンリンクチャネル特性を推定できる。しかし、アンテナＡとアンテナＣ間のダウンリンクチャネル特性は、アップリンクＳＲＳによって決定されない場合もある。この場合、基地局は、ＵＥ受信アンテナのうちの一部のチャネル推定を報告するようにＵＥに指示でき、ここでアンテナのうちの一部はＵＥの受信アンテナとして使用され、送信アンテナ(すなわち、上記例ではアンテナＣ)としては使用されない。基地局がその報告を受信する場合、基地局は報告されたアンテナのうちの一部(すなわち、アンテナＣ）のチャネル情報をＳＲＳ(すなわち、アンテナＢとアンテナＡ間のダウンリンクチャネル)によって推定されるチャネル情報と組み合わせし、対応するプリコーディング(pre-coding)処理を実行する。
【０１１６】
以下では、本発明の多様な例示的実施形態で説明された技術方式に対して幾つかの例示的な実施形態を参照してより詳細に説明する。
【０１１７】
第１の実施形態
第１の実施形態は、ＦＤＤアップリンクキャリアのダウンリンク-アップリンクスイッチポイント周期が８ｍｓ周期によって設定される場合、セル固有のＳＲＳ送信におけるＳＲＳサブフレームを決定するための方法に対して説明する。
【０１１８】
ＦＤＤシステムのアップリンクキャリアがアップリンク信号及びダウンリンク信号を送信できる場合には、ＦＤＤアップリンクキャリアのダウンリンク-アップリンクスイッチポイント周期が８ｍｓ周期によって設定されることができる。＜表３＞〜＜表５＞は、８ｍｓダウンリンク-アップリンクスイッチポイント周期の例を図示しており、ここで“Ｄ”はダウンリンク送信専用サブフレームを表し、“Ｕ”は、アップリンク送信専用サブフレームを表し、また“Ｓ”は特殊サブフレームを示す。
【０１１９】
【表３】
0006599357.tif 000018
【０１２０】
【表４】
0006599357.tif 000019
【０１２１】
【表５】
0006599357.tif 000020
【０１２２】
ダウンリンク-アップリンクスイッチポイント周期が８ｍｓである場合、各無線フレームは１０個のサブフレームを含む。ダウンリンク-アップリンクスイッチポイント周期が８ｍｓであり、１０及び８の公倍数は４０であるから、全ての４個の無線フレームごとの最初のサブフレームは８ｍｓスイッチポイント周期のサブフレーム０に合わせられる。例えば、nfがフレームの一連番号であると仮定すれば、nfmod4=0を満足する無線フレームの最初のサブフレームは８ｍｓスイッチポイント周期のサブフレーム０に合わせられる。このような４個の無線フレームにより構成される構造は、無線スーパーフレームと称される。
【０１２３】
以下では、ＦＤＤアップリンクキャリアのダウンリンク-アップリンクスイッチポイント周期が８ｍｓによって設定される場合、サービングセルでセル固有のＳＲＳサブフレームを設定するための方法に対して説明する。この場合、ＳＲＳは、単に特殊サブフレーム及びアップリンクサブフレームのみで送信されると仮定される。
【０１２４】
ブロック４０１で、端末はＳＲＳのセル固有の設定情報を取得し、セル固有のＳＲＳサブフレームを決定する。
【０１２５】
ＴＳＦＣ及びΔＳＦＣ各々は、セル固有のＳＲＳサブフレーム周期及びセル固有のＳＲＳサブフレーム絶対値であると仮定される。標準は、ＴＳＦＣ及びΔＳＦＣの値を定義する。＜表６＞はＳＲＳ-サブフレーム設定(SubframeConfig)が上位階層シグナリングにより表示される一例を示し、セル固有のＳＲＳサブフレームは、次の数式を満足する。
【０１２６】
【数１５】
0006599357.tif 000021
【０１２７】
この場合、ｎｓは、時間スロット(time slot）の一連番号である。この数式の物理的意味は、各無線スーパーフレーム内で、セル固有のＳＲＳサブフレームは、周期ＴＳＦＣ及びオフセットΔＳＦＣに従ってサブフレーム０から定められるということである。
【０１２８】
【表６】
0006599357.tif 000022
【０１２９】
ＴＳＦＣが４ｍｓである場合、ΔＳＦＣの値は０と３との間の整数であり得る。ダウンリンク−アップリンクスイッチポイント周期内のアップリンク／ダウンリンクサブフレーム分布で、ΔＳＦＣの一部値に対応するサブフレームは、常にダウンリンクサブフレームである。ＦＤＤアップリンクキャリアのダウンリンクサブフレームがアップリンクシンボルを搬送するように許可されない場合、このようなΔＳＦＣの値を設定することは不可能である。例えば、＜表７＞に示す設定を使用すると、その値が０であるΔＳＦＣに対応するサブフレームがＳＲＳを送信することは不可能である。
【０１３０】
【表７】
0006599357.tif 000023
【０１３１】
ブロック４０２で、端末は、決定されたセル固有のＳＲＳサブフレームによりアップリンクサブフレームでリソースマッピングを実行する。
【０１３２】
第２の実施形態
本実施形態は、ＦＤＤアップリンクキャリアのダウンリンク-アップリンクスイッチポイント周期がサービングセル内で８ｍｓによって設定される場合、トリガーリングタイプが０であるＵＥ固有のＳＲＳサブフレームを設定するための方法に対して説明する。ＳＲＳは、単に特殊サブフレーム及びアップリンクサブフレームで送信されると仮定される。８ｍｓダウンリンク-アップリンクスイッチポイント周期を設定するための方法は、第１の実施形態のものと同一である。
【０１３３】
ブロック５０１で、端末は、ＳＲＳトリガーリング情報を取得し、トリガーリングタイプが０であるＳＲＳサブフレームを決定する。
【０１３４】
ＴＳＲＳ及びＴｏｆｆｓｅｔの各々は、トリガーリングタイプが０であるＵＥ固有のＳＲＳサブフレームの周期及びサブフレームオフセットであると仮定される。標準は、ＴＳＲＳ及びＴｏｆｆｓｅｔの値を定義する。＜表８＞は、ＳＲＳ設定インデックスＩＳＲＳが上位階層シグナリングにより表示される一例を図示し、トリガーリングタイプが０であるＵＥ固有のＳＲＳサブフレームは次の数式を満足する。
【０１３５】
【数１６】
0006599357.tif 000024
【０１３６】
このような数式の物理的意味は、各無線スーパーフレーム内で、トリガーリングタイプが０であるＵＥ固有のＳＲＳサブフレームは、周期ＴＳＲＳ及びオフセットＴｏｆｆｓｅｔに従ってサブフレーム０から決定されるということである。この場合、ｎfは、無線フレームの一連番号であり、ksrsはスーパーフレームでＳＲＳを送信するシンボルの一連番号を示す。
【０１３７】
具体的に、ksrsの意味は次のように説明される。アップリンク/ダウンリンク設定の両方におけるアップリンクサブフレーム及び特殊サブフレームは、一つのサブフレームセットを構成する。このようなサブフレームにおけるＳＲＳシンボルは、時間順に番号が付けられ、一連番号の値はksrsである。この場合、各アップリンクサブフレーム又は特殊サブフレームは、一つ以上のＳＲＳシンボルを含むことができる。ＵＥ及び基地局は、事前に各サブフレームに含まれるＳＲＳシンボルの個数を知ることができ、例えば、標準は、アップリンクサブフレームが一つのＳＲＳシンボルを含み、基地局は、ＵＥに、特殊サブフレームが上位階層シグナリングを通じて一つ又は２個のＳＲＳシンボルを含むということを通知するものであると定義する。例えば、無線スーパーフレームにおけるｎ番目のサブフレームが無線スーパーフレームにおけるｍ番目のＳＲＳシンボルである一つのＳＲＳシンボルを含むと仮定すると、ｎ番目のサブフレームにおけるＳＲＳシンボルのksrs値はｍである。無線スーパーフレームにおけるｎ＋１番目のサブフレームが２個のＳＲＳシンボルを含むと仮定すると、このような２個のＳＲＳシンボルのそれぞれのksrs値はｍ＋１及びｍ＋２である。
【０１３８】
対案的には、ksrsの意味が次のように説明される。無線スーパーフレームにおけるサブフレームの全てはソートされる。各サブフレーム(アップリンクサブフレーム又はダウンリンクサブフレームのうちの一つ)は、無線スーパーフレーム内のサブフレームインデックスを有し、ksrsは無線スーパーフレーム内のサブフレームインデックスである。
【０１３９】
対案的には、ksrsの意味が次のように説明される。ＵｐＰＴＳが２個のＳＲＳシンボルを含めるものであると考慮すると、ＵｐＰＴＳ以前のサブフレームはＳＲＳシンボルを含むことなく、ksrsは無線スーパーフレーム内のサブフレームインデッスであると定義される。例えば、ＵｐＰＴＳ以前のサブフレームはダウンリンクサブフレームであり、ダウンリンクサブフレームはＳＲＳシンボルを含まないものと定義される。他の例では、ＵｐＰＴＳ以前のサブフレームがアップリンクがサブフレームであり、アップリンクサブフレームはＳＲＳシンボルを含まないものと定義される。
【０１４０】
【表８】
0006599357.tif 000025
【０１４１】
ブロック５０２で、端末はトリガーリングタイプが０である、決定されたＳＲＳサブフレームでＳＲＳを送信する。
【０１４２】
第３の実施形態
本実施形態は、ＦＤＤアップリンクキャリアのダウンリンク-アップリンクスイッチポイント周期がサービングセルで８ｍｓによって設定される場合、トリガーリングタイプが１であるＵＥ固有のＳＲＳサブフレームを設定するための方法に対して説明する。ＳＲＳは、単に特殊サブフレーム及びアップリンクサブフレームにのみ送信されると仮定される。８ｍｓダウンリンク-アップリンクスイッチポイント周期を設定するための方法は、第１の実施形態で説明された通りである。
【０１４３】
ブロック６０１で、端末は、ＳＲＳ設定及びトリガーリング情報の上位階層シグナリング及び物理階層シグナリングを取得し、トリガーリングタイプが１であるＳＲＳサブフレームを決定する。
【０１４４】
ブロック３０１における記述に従うと、端末はＳＲＳを搬送するキャリアを決定し、物理階層シグナリングでＳＲＳを表示するビットフィールドにより、トリガーリングタイプが１であるＳＲＳを送信するか否かを決定する。また、端末は、上位階層シグナリングにより、トリガーリングタイプが１であるＳＲＳサブフレームを送信するように決定する。ＴＳＲＳ，１及びＴｏｆｆｓｅｔ，１の各々は、トリガーリングタイプが１であるＵＥ固有のＳＲＳサブフレームの周期及びサブフレームオフセットであると仮定される。標準は、ＴＳＲＳ，１及びＴｏｆｆｓｅｔ，１の値を定義する。図９は、ＳＲＳ設定インデックスＩＳＲＳが上位階層シグナリングにより表示され、トリガーリングタイプが１であるＵＥ固有のＳＲＳサブフレームが次の数式を満足する一例を示す。
【０１４５】
【数１７】
0006599357.tif 000026
【０１４６】
このような数式の物理的意味は、各無線スーパーフレーム内で、トリガーリングタイプが１であるＵＥ固有のＳＲＳサブフレームが周期ＴＳＲＳ、１及びオフセットＴｏｆｆｓｅｔ、１によってサブフレーム０から決定されることである。この数式で、ｎｆは、無線フレームの一連番号であり、ksrsの意味は第２の実施形態で説明された通りである。
【０１４７】
【表９】
0006599357.tif 000027
【０１４８】
ブロック６０２で、端末は、ブロック６０１の結果に基づいてトリガーリングタイプが１であるＳＲＳサブフレームでＳＲＳを送信する。
【０１４９】
第４の実施形態
本実施形態は、ＳＲＳ電力制御方法に対して説明する。この場合、決定されたＳＲＳ電力はダウンリンクキャリアに対するＳＲＳ電力であると仮定される。
【０１５０】
ブロック７０１で、端末はＳＲＳ電力制御に関する情報を取得し、ＳＲＳ電力値を決定する。
【０１５１】
セルｃにおいて、サブフレームｉにおけるＳＲＳのＵＥ送信電力PSRS,c(i)は、
【０１５２】
【数１８】
0006599357.tif 000028
【０１５３】
である。
その中でもPCMAX,c(i), PSRS_OFFSET,c(m), MSRS,c, PO_PUSCH,c(j)及びαc(j)は、３ＧＰＰ ＴＳ ３６．２１３ ｖ１０．２．０．の５．１．３における定義により定められる。fc(i)は、ダウンリンクキャリアに対応するサービングセルｃの電力制御値である。ＦＤＤダウンリンクキャリアのＰＵＳＣＨをスケジューリングするＤＬグラントは、送信器電力制御(Transmitter Power Control;ＴＰＣ)を含み、ＵＥ固有の補正値δPUCCHは、ＴＰＣによって取得される。ＤＬグラントのＴＰＣフィールドとδPUCCHとの対応関係は３ＧＰＰ  ＴＳ ３６.２１３ ｖ１０.２.０の５.１.１.１における表５.１.１.１-２によって決定される。δPUCCHが取得された以後には、fc(i)の値が５.１.１.１によって取得される。上記の説明によれば、ＤＬグラントのＴＰＣはＦＤＤダウンリンクキャリアにおけるＳＲＳ送信電力制御調整値を表示するために使用される。
【０１５４】
ＦＤＤダウンリンクキャリア、ＦＤＤアップリンクキャリア、及び他の集成されたキャリアがＳＲＳを同時に送信し、また、シンボル内の全体ＵＥ ＳＲＳ送信電力が
【０１５５】
【数１９】
0006599357.tif 000029
【０１５６】
より大きい場合、ＵＥは、w(i)を使用してサブフレームｉのシンボルにおけるＳＲＳ電力線形値
【０１５７】
【数２０】
0006599357.tif 000030
【０１５８】
及びサービングセルｃを加重処理し、ここで加重処理される値w(i)は次の制限事項を含み、
【０１５９】
【数２１】
0006599357.tif 000031
【０１６０】
ここで、０＜w(i)≦１である。その中でも、サブフレームｉでは
【０１６１】
【数２２】
0006599357.tif 000032
【０１６２】
がPSRS,c(i)の線形値であり、
【０１６３】
【数２３】
0006599357.tif 000033
【０１６４】
がサブフレームPCMAXの線形値であり、PCMAXは３ＧＰＰ ＴＳ３６．１０１で定義される。
【０１６５】
ブロック７０２で、端末は、上記決定されたＳＲＳ電力値によりＳＲＳを送信する。
【０１６６】
第５の実施形態
本実施形態はＳＲＳトリガーリングがトリガーリングタイプ１によって実行される場合、ＳＲＳを送信するために使用されるキャリアの決定に対して説明する。
【０１６７】
ブロック８０１で、端末は、トリガーリングタイプが１であるＳＲＳの設定及びトリガーリング情報を取得し、ＳＲＳを送信するために使用されるキャリアを決定する。
【０１６８】
ＤＣＩフォーマット０／４／１Ａ及び/又はＤＣＩフォーマット２Ｂ／２Ｃのような物理階層シグナリングは、トリガーリングタイプが１であるＳＲＳの物理階層シグナリンであり得る。ＳＲＳを送信するために使用されるキャリアは、ＤＣＩフォーマット０／４／１Ａ及び/又はＤＣＩフォーマット２Ｂ／２Ｃのようなスケジューリングデータが位置されるキャリアによって決定される。すなわち、ＤＣＩフォーマット０／４/１A及び/又はＤＣＩフォーマット２Ｂ／２Ｃによりスケジューリングされる物理的アップリンク共有チャネル(ＰＵＳＣＨ)/物理的ダウンリンク共有チャネル（ＰＤＳＣＨ）データが位置されるキャリアがＳＲＳを送信するために使用されるキャリアである。
【０１６９】
例えば、ＳＲＳ送信がＤＣＩフォーマット０／４でトリガーされ、ＤＣＩフォーマット０／４がアップリンクキャリアのＰＵＳＣＨ送信をスケジューリングする場合、ＤＣＩフォーマット０／４は、ＣＩＦに対応するアップリンクキャリアでＳＲＳ送信をトリガーする。他の例で、ＳＲＳ送信がＤＣＩフォーマット０／４でトリガーされ、ＤＣＩフォーマット０／４がＣＩＦを含むことなく、ＤＣＩフォーマット０／４がサービングセルｃでアップリンクキャリアのＰＵＳＣＨ送信をスケジューリングする場合、ＤＣＩフォーマット０／４は、サービングセルｃでアップリンクキャリアのＳＲＳ送信をトリガーする。他の例で、ＳＲＳ送信がＤＣＩフォーマット１Ａ／２Ｂ／２Ｃでトリガーされ、ＤＣＩ１Ａ／２Ｂ／２ＣがＣＩＦを含み、ＤＣＩフォーマット１Ａ／２Ｂ／２ＣがアップリンクキャリアのＰＤＳＣＨ送信をスケジューリングする場合、ＤＣＩフォーマット１Ａ／２Ｂ／２Ｃは、ＣＩＦに対応するアップリンクキャリアでＳＲＳ送信をトリガーする。他の例で、ＳＲＳ送信がＤＣＩフォーマット１Ａ／２Ｂ／２Ｃでトリガーされ、ＤＣＩフォーマット１Ａ／２Ｂ／２ＣがＣＩＦを含むことなく、ＤＣＩフォーマット１Ａ／２Ｂ／２ＣがサービングセルｃでダウンリンクキャリアのＰＤＳＣＨ送信をスケジューリングする場合、ＤＣＩフォーマット１Ａ／２Ｂ／２Ｃは、サービングセルｃでダウンリンクキャリアのＳＲＳ送信をトリガーする。
【０１７０】
ＦＤＤアップリンクキャリア及びＦＤＤダウンリンクキャリアが同一のビングセルに属し、ＦＤＤアップリンクキャリアがフレキシブルデュプレックスである場合は、クロスキャリア(cross-carrier)ＰＤＳＣＨスケジューリングがサポートされる場合に、そのセル及び相異なるセルのアップリンクキャリアとダウンリンクキャリアがＤＣＩフォーマット１Ａ／２Ｂ／２Ｃでスケジューリングされることができる。従って、ＰＤＳＣＨ ＣＩＦは、３ビットで形成されてセルの一連番号を示す。同時に、ＳＲＳ(及び/又はＰＤＳＣＨ)がアップリンクキャリア又はダウンリンクキャリアに位置されるか否かを表示するためにＤＣＩフォーマットに１ビットが追加される。
【０１７１】
ブロック８０２で、端末は、上記決定されたＳＲＳを送信するのに使用されるキャリアでＳＲＳを送信する。
【０１７２】
ブロック８０３で、基地局は、アップリンクＳＲＳのような受信された情報に基づいてダウンリンクチャネル情報を取得する。
【０１７３】
以上、本発明は多様な好ましい例示的な実施形態に対して説明した。実際において、本発明で説明された一つ以上の実施形態が採用され得る。
【０１７４】
上述した方法に対応する、本発明の多様な例示的な実施形態がまた端末デバイス及び基地局デバイスを説明し、これに対しは添付図面を参照して次のように説明される。
【０１７５】
図５は、本発明の多様な実施形態による端末の構造を示す図である。
図５を参照すると、例えば、端末５００は、構成モジュール５０２及びＳＲＳ送信モジュール５０４を含むことができる。構成モジュール５０２は、本開示の実施形態による端末の全般的な動作を制御する制御部又はプロセッサ(processor)に対応され、ＳＲＳ送信モジュール５０４は端末の通信動作を実行する送受信部に対応できる。
【０１７６】
具体的に、構成モジュール５０２は、ＳＲＳの設定及びトリガーリング情報を取得し、そのＳＲＳ設定及びトリガーリング情報により、ＳＲＳの送信が位置されるキャリア及びサブフレームを決定し、ＳＲＳ電力制御情報を取得してＳＲＳ電力値を決定することができる。この場合、ＳＲＳの送信が位置されるキャリアは、ＦＤＤアップリンクキャリア、ＦＤＤダウンリンクキャリア、又はフレキシブルデュプレックスのアップリンクキャリアである。
【０１７７】
また、ＳＲＳ送信モジュール５０４は、上記決定されたＳＲＳ電力値を有し、上記決定されたキャリア及びサブフレームでＳＲＳを送信することによって、基地局がチャネル情報を推定することができる。
【０１７８】
図６は、本発明の多様な実施形態にしたがう、基地局の構造を示す図である。基地局は、ＳＲＳ検出モジュール及びチャネル推定モジュールを含むことができる。
図６を参照すれば、例えば、基地局６００は、ＳＲＳ検出モジュール６０２と、チャネル推定モジュール６０４を含むことができる。チャンネル推定モジュール６０４は、本開示の実施形態による基地局の全般的な動作を制御する制御部又はプロセッサに対応され、ＳＲＳ検出モジュール６０２は、端末の通信動作を実行する送受信部に対応できる。
【０１７９】
ＳＲＳ検出モジュール６０２はフレキシブルデュプレックスのダウンリンクキャリア又はアップリンクキャリアで端末により送信されるＳＲＳを検出できる。
【０１８０】
チャネル推定モジュール６０４は、ＳＲＳ検出モジュールにより検出されるＳＲＳによってチャネル推定を実行し、また、ＳＲＳを搬送するアップリンクチャネルに対応するダウンリンクチャネルのチャネル情報として推定結果を構成することができる。本発明の実施形態により、推定結果は、ＵＥにより報告されるチャネル情報と組み合わせられることで全体チャネル情報を構成することができる。
【０１８１】
本発明の多様な実施形態は、アップリンク/ダウンリンク送信をサポートするＦＤＤダウンリンクキャリア及びアップリンクキャリアにおけるＳＲＳ送信に対して説明する。本発明の実施形態によると、対応するキャリア上のＳＲＳが簡単かつ効率的に設定及び送信され、これによってＦＤＤシステムがチャネル相互性を有すると共に大規模多重アンテナシステムにさらに適合となる。本発明の多様な実施形態は、ＦＤＤシステムのアップリンクキャリアがアップリンク信号及びダウンリンク信号を送信できる場合のＳＲＳ送信方法及びデバイスを説明する。また、本発明の多様な実施形態に上記説明された上記技術方式は既存のデバイス又はシステムに対する変更をほとんど発生させず、デバイスの互換性に影響を与えない。
【０１８２】
以上は、本発明の例示的な実施形態であり、本発明を制限するために使用されない。本発明の思上及び原理下で行われる任意の修正事項、均等事項、改善事項などは本発明の保護範囲内で含まれる。
【符号の説明】
【０１８３】
３０１，３０２，３０３  ブロック
４０１，４０２  サブフレーム
【図１】
0006599357.tif 000034
【図２】
0006599357.tif 000035
【図３Ａ】
0006599357.tif 000036
【図３Ｂ】
0006599357.tif 000037
【図４】
0006599357.tif 000038
【図５】
0006599357.tif 000039
【図６】
0006599357.tif 000040